(57)【要約】  磁気記録再生装置１００は、磁気ヘッド１、磁気記録媒体２、スピンドル３及びスピンドルモータ４、サスペンションアーム５、ボイスコイルモータ６、および制御部７を含んでいる。制御部７は、モータドライバ８と、ヘッドアンプ９と、リードライトチャネル１０と、レーザドライバ１１と、コントローラ１２とを有している。コントローラ１２は、予備記録部１３と、判定部１４と、抽出部１５と、駆動条件決定部１６と、予備記録終了部１７とを有している。そして、これら各部を用いて得た再生信号評価値、及び、予め定めておいた基準値に基づいて、磁気記録媒体２へ記録するのに適した駆動条件を決定する。
2008062671.tif 000002
【特許請求の範囲】
【請求項１】
記録ヘッドと、磁気抵抗効果を示す再生ヘッドと、情報を記録可能な磁気記録媒体と、前記磁気記録媒体の記録領域を加熱するための加熱手段とを備え、前記記録ヘッドに電流を印加して磁界を発生させると共に前記磁気記録媒体の前記記録領域を前記加熱手段を用いて加熱することによって、加熱により保磁力が低下した前記磁気記録媒体に情報を記録し、前記磁気記録媒体の前記記録領域に記録された情報を前記再生ヘッドによって再生する、磁気記録再生装置において、
定電流又は一定振幅を有する波形電流が前記記録ヘッドに印加されるようにすると共に、前記加熱手段から前記磁気記録媒体の前記記録領域に加熱パワーが与えられるようにするために前記加熱手段を予備駆動条件に従って駆動することによって、前記磁気記録媒体の前記記録領域に情報を予備的に記録する予備記録手段と、
前記予備記録手段によって前記記録領域に予備的に記録された情報を前記再生ヘッドによって再生して得られる再生信号から再生信号評価値を得て、この再生信号評価値と予め定めておいた基準値との優劣を判定する判定手段と、
前記再生信号評価値が前記基準値と一致している又は前記基準値よりも優れているという前記判定手段による判定結果が得られるまで、一回又は前記予備駆動条件が互いに異なる複数回の前記予備記録手段による前記記録領域への情報の予備的な記録が行われるように、前記予備記録手段及び前記判定手段を制御すると共に、前記再生信号評価値が前記基準値と一致している又は前記基準値よりも優れているという前記判定手段による前記判定結果に係る前記加熱手段の前記予備駆動条件を抽出する抽出手段と、
前記抽出手段が抽出した前記予備駆動条件を、前記磁気記録媒体へ情報を記録する際の前記加熱手段の駆動条件に決定する駆動条件決定手段とを備えていることを特徴とする磁気記録再生装置。
【請求項２】
前記抽出手段は、前記予備記録手段による前記記録領域への情報の複数回の予備的な記録が行われる際に、前記記録領域に与えられる加熱パワーが１回の予備的な記録ごとに次第に大きくなるように、前記予備記録手段を制御することを特徴とする請求項１に記載の磁気記録再生装置。
【請求項３】
記録ヘッドと、磁気抵抗効果を示す再生ヘッドと、情報を記録可能な磁気記録媒体と、前記磁気記録媒体の記録領域を加熱するための加熱手段とを備え、前記記録ヘッドに電流を印加して磁界を発生させると共に前記磁気記録媒体の前記記録領域を前記加熱手段を用いて加熱することによって、加熱により保磁力が低下した前記磁気記録媒体に情報を記録し、前記磁気記録媒体の前記記録領域に記録された情報を前記再生ヘッドによって再生する、磁気記録再生装置において、
定電流又は一定振幅を有する波形電流が前記記録ヘッドに印加されるようにすると共に、前記加熱手段から前記磁気記録媒体の前記記録領域に加熱パワーが与えられるようにするために前記加熱手段を予備駆動条件に従って駆動することによって、前記磁気記録媒体の前記記録領域に情報を予備的に記録する予備記録手段と、
前記予備記録手段によって前記記録領域に予備的に記録された情報を前記再生ヘッドによって再生して得られる再生信号から再生信号評価値を得て、この再生信号評価値と予め定めておいた基準値との優劣を判定する判定手段と、
前記予備駆動条件が互いに異なる複数回の前記予備記録手段による前記記録領域への情報の予備的な記録が行われるように、前記予備記録手段を制御すると共に、前記複数回の予備的な記録に係る複数の前記予備駆動条件の中から、前記再生信号評価値が前記基準値と一致している又は前記基準値よりも優れているという前記判定手段による前記判定結果が得られたものであって、且つ、前記複数の前記予備駆動条件に係る複数の前記再生信号評価値の中で最も優れた前記再生信号評価値に係る前記予備駆動条件を抽出する抽出手段と、
前記抽出手段が抽出した前記予備駆動条件を、前記磁気記録媒体へ情報を記録する際の前記加熱手段の駆動条件に決定する駆動条件決定手段とを備えていることを特徴とする磁気記録再生装置。
【請求項４】
前記判定手段は、第１回目の予備的な記録を考慮しない場合に、前記予備記録手段が前記記録領域への情報の予備的な記録を行うごとに、当該予備的な記録に係る前記再生信号評価値と前記基準値との優劣を判定し、
前記抽出手段は、前記再生信号評価値が前記基準値と一致している又は前記基準値よりも優れているという前記判定手段による判定結果が得られるごとに、当該再生信号評価値と、その直前に、前記基準値と一致している又は前記基準値よりも優れているという前記判定手段による判定結果が得られた再生信号評価値との優劣を判定することを特徴とする請求項３に記載の磁気記録再生装置。
【請求項５】
前記抽出手段は、
前記予備記録手段による前記記録領域への情報の複数回の予備的な記録が行われる際に、前記記録領域に与えられる加熱パワーが１回の予備的な記録ごとに次第に大きくなるように、前記予備記録手段を制御し、
前記判定手段が２つの前記再生信号評価値の優劣を判定した結果、新たな再生信号評価値が直前の再生信号評価値よりも劣ると判定された場合には、それまで行われた複数回の予備的な記録に係る複数の前記予備駆動条件の中から、前記直前の再生信号評価値に係る前記予備駆動条件を抽出することを特徴とする請求項４に記載の磁気記録再生装置。
【請求項６】
前記記録領域に与えられる加熱パワーが所定上限値に達した後には前記予備記録手段が新たな予備的な記録を行わないように、前記抽出手段を制御する予備記録終了手段をさらに備えていることを特徴とする請求項２又は５に記載の磁気記録再生装置。
【請求項７】
前記加熱手段が発光素子を含んでおり、
前記発光素子から発せられた光を利用して前記磁気記録媒体を加熱することを特徴とする請求項１〜６のいずれか１項に記載の磁気記録再生装置。
【請求項８】
前記記録ヘッドが、前記定電流又は前記一定振幅を有する前記波形電流が印加されることによって記録磁界を発生する金属線を有しており、
前記発光素子から発せられた光が前記金属線に照射されることにより発生した近接場光によって、前記磁気記録媒体が加熱されることを特徴とする請求項７に記載の磁気記録再生装置。
【請求項９】
前記磁気記録媒体が円盤形状を有しており、
前記予備記録手段は、前記磁気記録媒体の中心から距離ｒｉだけ離れた位置を含む、前記磁気記録媒体の前記記録領域に設けられた第１予備記録領域、及び、前記磁気記録媒体の前記中心から距離ｒｏ（ｒｏ＞ｒｉ）だけ離れた位置を含む、前記磁気記録媒体の前記記録領域に設けられて前記第１予備記録領域よりも外周側にある第２予備記録領域に、前記磁気記録媒体を所定の角速度で回転させつつ、情報を予備的に記録し、
前記駆動条件決定手段は、前記磁気記録媒体の前記中心から前記距離ｒｉだけ離れた前記第１予備記録領域内の位置、及び、前記磁気記録媒体の前記中心から前記距離ｒｏだけ離れた前記第２予備記録領域内の位置における前記加熱手段の駆動条件を決定し、
前記所定の角速度で回転する前記磁気記録媒体の前記中心から任意の距離ｒだけ離れた位置に対して情報を記録する際の前記加熱手段の前記駆動条件を、下記式（Ａ）から得られる加熱パワーＰｒに基づいて導出する駆動条件導出手段とをさらに備えていることを特徴とする請求項１〜８のいずれか１項に記載の磁気記録再生装置。
Ｐｒ＝Ｐｉ＋（ｒ−ｒｉ）×（Ｐｏ−Ｐｉ）／（ｒｏ−ｒｉ）      （Ａ）
（Ｐｉ：前記駆動条件決定手段が決定した距離ｒｉにおける前記駆動条件にしたがって駆動された前記加熱手段から前記磁気記録媒体の前記第１予備記録領域に与えられる加熱パワー、
Ｐｏ：前記駆動条件決定手段が決定した距離ｒｏにおける前記駆動条件にしたがって駆動された前記加熱手段から前記磁気記録媒体の前記第２予備記録領域に与えられる加熱パワー、
Ｐｒ：前記磁気記録媒体の前記中心から任意の距離ｒだけ離れた位置に対して情報を記録するための加熱パワー）
【請求項１０】
前記磁気記録媒体が円盤形状を有しており、
前記予備記録手段は、前記磁気記録媒体の中心から距離ｒｉだけ離れた位置を含む、前記磁気記録媒体の前記記録領域に設けられた第１予備記録領域、及び、前記磁気記録媒体の前記中心から距離ｒｏ（ｒｏ＞ｒｉ）だけ離れた位置を含む、前記磁気記録媒体の前記記録領域に設けられて前記第１予備記録領域よりも外周側にある第２予備記録領域に、前記磁気記録媒体を所定の角速度で回転させつつ、情報を予備的に記録し、
前記駆動条件決定手段は、前記磁気記録媒体の前記中心から前記距離ｒｉだけ離れた前記第１予備記録領域内の位置、及び、前記磁気記録媒体の前記中心から前記距離ｒｏだけ離れた前記第２予備記録領域内の位置における前記加熱手段の駆動条件を決定し、
前記所定の角速度で回転する前記磁気記録媒体の前記中心から前記距離ｒｏと前記距離ｒｉとの平均距離ｒｃだけ離れた位置に対して情報を記録する際の前記加熱手段の前記駆動条件を、下記式（Ｂ）から得られる加熱パワーＰｒｃに基づいて導出し、当該導出された前記駆動条件を、前記第１予備記録領域と前記第２予備記録領域とに挟まれた記録領域に情報を記録する際の前記加熱手段の前記駆動条件に決定する駆動条件導出手段とをさらに備えていることを特徴とする請求項１〜８のいずれか１項に記載の磁気記録再生装置。
Ｐｒｃ＝Ｐｉ＋（ｒｃ−ｒｉ）×（Ｐｏ−Ｐｉ）／（ｒｏ−ｒｉ）      （Ｂ）
（Ｐｉ：前記駆動条件決定手段が決定した距離ｒｉにおける前記駆動条件にしたがって駆動された前記加熱手段から前記磁気記録媒体の前記第１予備記録領域に与えられる加熱パワー、
Ｐｏ：前記駆動条件決定手段が決定した距離ｒｏにおける前記駆動条件にしたがって駆動された前記加熱手段から前記磁気記録媒体の前記第２予備記録領域に与えられる加熱パワー、
Ｐｒｃ：前記磁気記録媒体の前記中心から距離ｒｃだけ離れた位置に対して情報を記録するための加熱パワー）
【請求項１１】
前記磁気記録媒体が円盤形状を有しており、
前記磁気記録媒体の前記記録領域には、前記磁気記録媒体の前記中心から距離の範囲が重複しない複数のゾーンが設けられており、各ゾーン内では内部転送レートが一定であり、
前記予備記録手段は、前記磁気記録媒体の中心から距離ｒｉだけ離れた位置を含む、前記磁気記録媒体の前記記録領域に設けられた第１予備記録領域、及び、前記磁気記録媒体の前記中心から距離ｒｏ（ｒｏ＞ｒｉ）だけ離れた位置を含む、前記磁気記録媒体の前記記録領域に設けられて前記第１予備記録領域よりも外周側にある第２予備記録領域に、前記磁気記録媒体を所定の角速度で回転させつつ、情報を予備的に記録し、
前記駆動条件決定手段は、前記磁気記録媒体の前記中心から前記距離ｒｉだけ離れた前記第１予備記録領域内の位置、及び、前記磁気記録媒体の前記中心から前記距離ｒｏだけ離れた前記第２予備記録領域内の位置における前記加熱手段の駆動条件を決定し、
前記所定の角速度で回転する前記磁気記録媒体の各ゾーンにおいて前記中心から最も離れた位置と前記中心に最も近い位置との中間位置に対して情報を記録する際の前記加熱手段の前記駆動条件を、下記式（Ｃ）から得られる加熱パワーＰｒに基づいて導出し、当該導出された前記駆動条件を、当該ゾーンに情報を記録する際の前記加熱手段の前記駆動条件に決定する駆動条件導出手段とをさらに備えていることを特徴とする請求項１〜８のいずれか１項に記載の磁気記録再生装置。
Ｐｒ＝Ｐｉ＋（ｒｚ−ｒｉ）×（Ｐｏ−Ｐｉ）／（ｒｏ−ｒｉ）      （Ｃ）
（Ｐｉ：前記駆動条件決定手段が決定した距離ｒｉにおける前記駆動条件にしたがって駆動された前記加熱手段から前記磁気記録媒体の前記第１予備記録領域に与えられる加熱パワー、
Ｐｏ：前記駆動条件決定手段が決定した距離ｒｏにおける前記駆動条件にしたがって駆動された前記加熱手段から前記磁気記録媒体の前記第２予備記録領域に与えられる加熱パワー、
Ｐｒ：前記磁気記録媒体の各ゾーンの前記中間位置（前記磁気記録媒体の中心から距離ｒｚ）に対して情報を記録するための加熱パワー）
【請求項１２】
前記駆動条件決定手段及び前記駆動条件導出手段が決定した前記駆動条件に関する情報が、利用者が記録したい情報が記録される前記磁気記録媒体における利用者用記録領域より外周領域に記録されることを特徴とする請求項９〜１１のいずれか１項に記載の磁気記録再生装置。
【請求項１３】
記録ヘッドと、磁気抵抗効果を示す再生ヘッドと、情報を記録可能な磁気記録媒体と、前記磁気記録媒体の記録領域を加熱するための加熱手段とを備え、前記記録ヘッドに電流を印加して磁界を発生させると共に前記磁気記録媒体の前記記録領域を前記加熱手段を用いて加熱することによって、加熱により保磁力が低下した前記磁気記録媒体に情報を記録し、前記磁気記録媒体の前記記録領域に記録された情報を前記再生ヘッドによって再生する、磁気記録再生装置での磁気記録条件決定方法において、
定電流又は一定振幅を有する波形電流が前記記録ヘッドに印加されるようにすると共に、前記加熱手段から前記磁気記録媒体の前記記録領域に加熱パワーが与えられるようにするために前記加熱手段を予備駆動条件に従って駆動することによって、前記磁気記録媒体の前記記録領域に情報を予備的に記録する予備記録工程と、前記予備記録工程で前記記録領域に予備的に記録された情報を前記再生ヘッドによって再生して得られる再生信号から再生信号評価値を得て、この再生信号評価値と予め定めておいた基準値との優劣を判定する判定工程との２つの工程を、前記再生信号評価値が前記基準値と一致している又は前記基準値よりも優れているという前記判定工程での判定結果が得られるまで、一回又は前記予備駆動条件が互いに異なるように複数回行い、前記再生信号評価値が前記基準値と一致している又は前記基準値よりも優れているという前記判定工程での当該判定結果に係る前記加熱手段の前記予備駆動条件を抽出する抽出工程と、
前記抽出工程で抽出された前記予備駆動条件を、前記磁気記録媒体へ情報を記録する際の前記加熱手段の駆動条件に決定する駆動条件決定工程とを備えていることを特徴とする磁気記録条件決定方法。
【請求項１４】
前記抽出工程において、前記記録領域への情報の複数回の予備的な記録が行われる際に、前記記録領域に与えられる加熱パワーを１回の予備的な記録ごとに次第に大きくすることを特徴とする請求項１３に記載の磁気記録条件決定方法。
【請求項１５】
記録ヘッドと、磁気抵抗効果を示す再生ヘッドと、情報を記録可能な磁気記録媒体と、前記磁気記録媒体の記録領域を加熱するための加熱手段とを備え、前記記録ヘッドに電流を印加して磁界を発生させると共に前記磁気記録媒体の前記記録領域を前記加熱手段を用いて加熱することによって、加熱により保磁力が低下した前記磁気記録媒体に情報を記録し、前記磁気記録媒体の前記記録領域に記録された情報を前記再生ヘッドによって再生する、磁気記録再生装置での磁気記録条件決定方法において、
定電流又は一定振幅を有する波形電流が前記記録ヘッドに印加されるようにすると共に、前記加熱手段から前記磁気記録媒体の前記記録領域に加熱パワーが与えられるようにするために前記加熱手段を予備駆動条件に従って駆動することによって、前記磁気記録媒体の前記記録領域に情報を予備的に記録する予備記録工程と、前記予備記録工程で前記記録領域に予備的に記録された情報を前記再生ヘッドによって再生して得られる再生信号から再生信号評価値を得て、この再生信号評価値と予め定めておいた基準値との優劣を判定する判定工程との２つの工程を、前記予備駆動条件が互いに異なるように複数回行い、前記複数回の予備的な記録に係る複数の前記予備駆動条件の中から、前記再生信号評価値が前記基準値と一致している又は前記基準値よりも優れているという前記判定工程での前記判定結果が得られたものであって、且つ、前記複数の前記予備駆動条件に係る複数の前記再生信号評価値の中で最も優れた前記再生信号評価値に係る前記予備駆動条件を抽出する抽出工程と、
前記抽出工程で抽出された前記予備駆動条件を、前記磁気記録媒体へ情報を記録する際の前記加熱手段の駆動条件に決定する駆動条件決定工程とを備えていることを特徴とする磁気記録条件決定方法。
【請求項１６】
第１回目の予備的な記録を考慮しない場合に、前記予備記録工程で前記記録領域への情報の予備的な記録を行うごとに、前記判定工程において、当該予備的な記録に係る前記再生信号評価値と前記基準値との優劣を判定し、
前記抽出工程では、前記再生信号評価値が前記基準値と一致している又は前記基準値よりも優れているという前記判定工程での判定結果が得られるごとに、当該再生信号評価値と、その直前に、前記基準値と一致している又は前記基準値よりも優れているという前記判定工程での判定結果が得られた再生信号評価値との優劣を判定することを特徴とする請求項１５に記載の磁気記録条件決定方法。
【請求項１７】
前記抽出工程では、
前記記録領域への情報の複数回の予備的な記録が行われる際に、前記記録領域に与えられる加熱パワーを１回の予備的な記録ごとに次第に大きくし、
前記判定工程で２つの前記再生信号評価値の優劣が判定された結果、新たな再生信号評価値が直前の再生信号評価値よりも劣ると判定された場合には、それまで行われた複数回の予備的な記録に係る複数の前記予備駆動条件の中から、前記直前の再生信号評価値に係る前記予備駆動条件を抽出することを特徴とする請求項１６に記載の磁気記録条件決定方法。
【請求項１８】
前記記録領域に与えられる加熱パワーが所定上限値に達した後には新たな予備的な記録を行わないことを特徴とする請求項１４又は１７に記載の磁気記録条件決定方法。
【請求項１９】
前記加熱手段が発光素子を含んでおり、
前記発光素子から発せられた光を利用して前記磁気記録媒体を加熱することを特徴とする請求項１３〜１８のいずれか１項に記載の磁気記録条件決定方法。
【請求項２０】
前記記録ヘッドが、前記定電流又は前記一定振幅を有する前記波形電流が印加されることによって記録磁界を発生する金属線を有しており、
前記発光素子から発せられた光が前記金属線に照射されることにより発生した近接場光によって、前記磁気記録媒体が加熱されることを特徴とする請求項１９に記載の磁気記録条件決定方法。
【請求項２１】
前記磁気記録媒体が円盤形状を有しており、
前記予備記録工程では、前記磁気記録媒体の中心から距離ｒｉだけ離れた位置を含む、前記磁気記録媒体の前記記録領域に設けられた第１予備記録領域、及び、前記磁気記録媒体の前記中心から距離ｒｏ（ｒｏ＞ｒｉ）だけ離れた位置を含む、前記磁気記録媒体の前記記録領域に設けられて前記第１予備記録領域よりも外周側にある第２予備記録領域に、前記磁気記録媒体を所定の角速度で回転させつつ、情報を予備的に記録し、
前記駆動条件決定工程では、前記磁気記録媒体の前記中心から前記距離ｒｉだけ離れた前記第１予備記録領域内の位置、及び、前記磁気記録媒体の前記中心から前記距離ｒｏだけ離れた前記第２予備記録領域内の位置における前記加熱手段の駆動条件を決定し、
前記所定の角速度で回転する前記磁気記録媒体の前記中心から任意の距離ｒだけ離れた位置に対して情報を記録する際の前記加熱手段の前記駆動条件を、下記式（Ａ）から得られる加熱パワーＰｒに基づいて導出する駆動条件導出工程をさらに備えていることを特徴とする請求項１３〜２０のいずれか１項に記載の磁気記録条件決定方法。
Ｐｒ＝Ｐｉ＋（ｒ−ｒｉ）×（Ｐｏ−Ｐｉ）／（ｒｏ−ｒｉ）      （Ａ）
（Ｐｉ：前記駆動条件決定工程で決定された距離ｒｉにおける前記駆動条件にしたがって駆動された前記加熱手段から前記磁気記録媒体の前記第１予備記録領域に与えられる加熱パワー、
Ｐｏ：前記駆動条件決定工程で決定された距離ｒｏにおける前記駆動条件にしたがって駆動された前記加熱手段から前記磁気記録媒体の前記第２予備記録領域に与えられる加熱パワー、
Ｐｒ：前記磁気記録媒体の前記中心から任意の距離ｒだけ離れた位置に対して情報を記録するための加熱パワー）
【請求項２２】
前記磁気記録媒体が円盤形状を有しており、
前記予備記録工程では、前記磁気記録媒体の中心から距離ｒｉだけ離れた位置を含む、前記磁気記録媒体の前記記録領域に設けられた第１予備記録領域、及び、前記磁気記録媒体の前記中心から距離ｒｏ（ｒｏ＞ｒｉ）だけ離れた位置を含む、前記磁気記録媒体の前記記録領域に設けられて前記第１予備記録領域よりも外周側にある第２予備記録領域に、前記磁気記録媒体を所定の角速度で回転させつつ、情報を予備的に記録し、
前記駆動条件決定工程では、前記磁気記録媒体の前記中心から前記距離ｒｉだけ離れた前記第１予備記録領域内の位置、及び、前記磁気記録媒体の前記中心から前記距離ｒｏだけ離れた前記第２予備記録領域内の位置における前記加熱手段の駆動条件を決定し、
前記所定の角速度で回転する前記磁気記録媒体の前記中心から前記距離ｒｏと前記距離ｒｉとの平均距離ｒｃだけ離れた位置に対して情報を記録する際の前記加熱手段の前記駆動条件を、下記式（Ｂ）から得られる加熱パワーＰｒｃに基づいて導出し、当該導出された前記駆動条件を、前記第１予備記録領域と前記第２予備記録領域とに挟まれた記録領域に情報を記録する際の前記加熱手段の前記駆動条件に決定する駆動条件導出工程をさらに備えていることを特徴とする請求項１３〜２０のいずれか１項に記載の磁気記録条件決定方法。
Ｐｒｃ＝Ｐｉ＋（ｒｃ−ｒｉ）×（Ｐｏ−Ｐｉ）／（ｒｏ−ｒｉ）      （Ｂ）
（Ｐｉ：前記駆動条件決定工程で決定された距離ｒｉにおける前記駆動条件にしたがって駆動された前記加熱手段から前記磁気記録媒体の前記第１予備記録領域に与えられる加熱パワー、
Ｐｏ：前記駆動条件決定工程で決定された距離ｒｏにおける前記駆動条件にしたがって駆動された前記加熱手段から前記磁気記録媒体の前記第２予備記録領域に与えられる加熱パワー、
Ｐｒｃ：前記磁気記録媒体の前記中心から距離ｒｃだけ離れた位置に対して情報を記録するための加熱パワー）
【請求項２３】
前記磁気記録媒体が円盤形状を有しており、
前記磁気記録媒体の前記記録領域には、前記磁気記録媒体の前記中心から距離の範囲が重複しない複数のゾーンが設けられており、各ゾーン内では内部転送レートが一定であり、
前記予備記録工程では、前記磁気記録媒体の中心から距離ｒｉだけ離れた位置を含む、前記磁気記録媒体の前記記録領域に設けられた第１予備記録領域、及び、前記磁気記録媒体の前記中心から距離ｒｏ（ｒｏ＞ｒｉ）だけ離れた位置を含む、前記磁気記録媒体の前記記録領域に設けられて前記第１予備記録領域よりも外周側にある第２予備記録領域に、前記磁気記録媒体を所定の角速度で回転させつつ、情報を予備的に記録し、
前記駆動条件決定工程では、前記磁気記録媒体の前記中心から前記距離ｒｉだけ離れた前記第１予備記録領域内の位置、及び、前記磁気記録媒体の前記中心から前記距離ｒｏだけ離れた前記第２予備記録領域内の位置における前記加熱手段の駆動条件を決定し、
前記所定の角速度で回転する前記磁気記録媒体の各ゾーンにおいて前記中心から最も離れた位置と前記中心に最も近い位置との中間位置に対して情報を記録する際の前記加熱手段の前記駆動条件を、下記式（Ｃ）から得られる加熱パワーＰｒに基づいて導出し、当該導出された前記駆動条件を、当該ゾーンに情報を記録する際の前記加熱手段の前記駆動条件に決定する駆動条件導出工程をさらに備えていることを特徴とする請求項１３〜２０のいずれか１項に記載の磁気記録条件決定方法。
Ｐｒ＝Ｐｉ＋（ｒｚ−ｒｉ）×（Ｐｏ−Ｐｉ）／（ｒｏ−ｒｉ）      （Ｃ）
（Ｐｉ：前記駆動条件決定工程で決定された距離ｒｉにおける前記駆動条件にしたがって駆動された前記加熱手段から前記磁気記録媒体の前記第１予備記録領域に与えられる加熱パワー、
Ｐｏ：前記駆動条件決定工程で決定された距離ｒｏにおける前記駆動条件にしたがって駆動された前記加熱手段から前記磁気記録媒体の前記第２予備記録領域に与えられる加熱パワー、
Ｐｒ：前記磁気記録媒体の各ゾーンの前記中間位置（前記磁気記録媒体の中心から距離ｒｚ）に対して情報を記録するための加熱パワー）
【請求項２４】
前記駆動条件決定工程及び前記駆動条件導出工程で決定された前記駆動条件に関する情報を、利用者が記録したい情報が記録される前記磁気記録媒体における利用者用記録領域より外周領域に記録することを特徴とする請求項２１〜２３のいずれか１項に記載の磁気記録条件決定方法。
【発明の詳細な説明】
【技術分野】
【０００１】
本発明は、加熱手段により、磁気記録媒体の記録領域（recording area）を加熱し、記録ヘッドにより磁気記録媒体に対して磁気的に情報を記録し、磁気抵抗効果を示す再生ヘッドによって磁気記録媒体に記録された情報を再生する、磁気記録再生装置及び当該装置における磁気記録条件決定方法に関するものである。
【背景技術】
【０００２】
近年、光技術と磁気記録再生技術との融合による高密度記録を実現する技術である、熱アシスト磁気記録技術が研究されている。この技術は、加熱手段、記録ヘッド、再生ヘッド、及び、磁気記録媒体を有する磁気記録再生装置に利用されている。この磁気記録再生装置の動作を簡単に説明すると、以下の通りである。すなわち、記録時においては、磁気記録再生装置の磁気記録媒体におけるデータを記録すべき領域（記録領域）の保磁力を低下させるために、加熱手段を用いて（例えばレーザ光を照射して）当該記録領域を昇温した後、記録ヘッドにより当該記録領域に外部磁界を印加することによって、磁気記録媒体に磁気的に情報を記録する（熱アシスト磁気記録）。また、再生時においては、磁気記録媒体の再生したい領域（再生領域）を加熱手段を用いて（例えばレーザ光を照射して）加熱して、加熱された部分の温度を補償温度からずらし、飽和磁化を強めて再生ヘッドによって情報を読み出す。【０００３】
ここで、熱アシスト磁気記録の原理を簡単に説明する。まず、図１６のグラフに、上述の熱アシスト磁気記録再生装置に使用される磁気記録媒体を構成する記録層の保磁力Ｈｃと磁化量Ｍと温度Ｔとの関係の一例を示す。図１６のような特性を有する記録層は、室温付近（温度Ｅ〜温度Ｇ）できわめて高い保磁力Ｈｃを示すので、通常の記録ヘッドが発生する磁界では、磁気的な記録が困難である。しかしながら、磁気的に非常に安定であるため、一旦記録が行われると弱い磁界によっては記録情報が消去されず、また、大きな磁化量を持つため、再生ヘッドによる出力も大きいという利点を持つ。ただし、磁気記録媒体の温度が上昇すると、磁気記録媒体の保磁力Ｈｃは低下し、キュリー温度（Ｔｃ）でほぼ０となる。したがって、磁気記録媒体の温度をキュリー温度付近の温度（温度Ｈ）まで加熱することにより、通常の磁気記録再生装置で使用されているような磁界での記録が可能となる。なお、キュリー温度は、磁性層として使用する材料や組成によっても異なり、概ね１００℃から２５０℃程度である。このように、通常の記録方式で用いる磁気記録媒体より高い保磁力を有する磁性層を備えた磁気記録媒体を用いて、熱アシスト磁気記録を行えば、記録情報の安定性を確保することができる。下記特許文献１に、このような熱アシスト磁気記録の技術が開示されている。【０００４】
【特許文献１】特開２００３−８５７０２号公報
【発明の開示】
【発明が解決しようとする課題】
【０００５】
上述のような熱アシスト磁気記録において、情報を記録する際の記録条件は、磁気記録媒体に与える磁界の強さ（磁界条件）と、加熱手段の駆動条件（加熱手段が磁気記録媒体に与える熱エネルギーである加熱パワーを決定する条件）とから構成されている。例えば、磁気記録媒体に強い磁界が与えられる場合には、より小さな加熱パワーでよく、逆に磁気記録媒体に弱い磁界が与えられる場合には、より大きな加熱パワーが必要になる。つまり、ある磁気特性を有する磁気記録媒体に対する最適な記録条件は、一つではなく、複数存在し得る。【０００６】
一方で、磁気記録再生装置は、例えば車載用で−２０℃から８０℃と、非常に広い環境温度の範囲において使用される。環境温度が変われば、磁気記録媒体の温度も環境温度に応じて変化する。そのため、磁気記録媒体に与える加熱パワーを環境温度に関わらずに一定にし、磁気記録媒体に与える磁界を一定の加熱パワーに応じた値に調整した記録条件で記録を行う場合、環境温度が非常に高いときには、加熱後の磁気記録媒体の温度がキュリー温度を超えて上昇してしまうことがある。すると、磁気記録媒体に情報を記録することができなくなる。また、通常、磁気記録媒体の記録情報トラックには磁気記録ヘッドを位置決め（トラッキング）するためのサーボパターンが磁気的に記録されている。加熱された磁気記録媒体の温度がキュリー温度を超えることによってこの情報が消去されてしまうと、トラッキング自体ができなくなってしまうという問題がある。【０００７】
本発明の目的は、環境温度にほとんど左右されることなく、熱アシスト磁気記録を行うことができる磁気記録再生装置及び磁気記録条件決定方法を提供することにある。
【課題を解決するための手段及び効果】
【０００８】
本発明の磁気記録再生装置は、記録ヘッドと、磁気抵抗効果を示す再生ヘッドと、情報を記録可能な磁気記録媒体と、前記磁気記録媒体の記録領域を加熱するための加熱手段とを備え、前記記録ヘッドに電流を印加して磁界を発生させると共に前記磁気記録媒体の前記記録領域を前記加熱手段を用いて加熱することによって、加熱により保磁力が低下した前記磁気記録媒体に情報を記録し、前記磁気記録媒体の前記記録領域に記録された情報を前記再生ヘッドによって再生する、磁気記録再生装置である。この磁気記録再生装置は、定電流又は一定振幅を有する波形電流が前記記録ヘッドに印加されるようにすると共に、前記加熱手段から前記磁気記録媒体の前記記録領域に加熱パワーが与えられるようにするために前記加熱手段を予備駆動条件に従って駆動することによって、前記磁気記録媒体の前記記録領域に情報を予備的に記録する予備記録手段と、前記予備記録手段によって前記記録領域に予備的に記録された情報を前記再生ヘッドによって再生して得られる再生信号から再生信号評価値を得て、この再生信号評価値と予め定めておいた基準値との優劣を判定する判定手段と、前記再生信号評価値が前記基準値と一致している又は前記基準値よりも優れているという前記判定手段による判定結果が得られるまで、一回又は前記予備駆動条件が互いに異なる複数回の前記予備記録手段による前記記録領域への情報の予備的な記録が行われるように、前記予備記録手段及び前記判定手段を制御すると共に、前記再生信号評価値が前記基準値と一致している又は前記基準値よりも優れているという前記判定手段による前記判定結果に係る前記加熱手段の前記予備駆動条件を抽出する抽出手段と、前記抽出手段が抽出した前記予備駆動条件を、前記磁気記録媒体へ情報を記録する際の前記加熱手段の駆動条件に決定する駆動条件決定手段とを備えている。
【０００９】
本発明によれば、環境温度が季節などにより変化しても、磁気記録媒体の温度を意図した温度（例えば、磁気記録媒体に記録するのに適した範囲内の温度）に調整するような好適な加熱手段の駆動条件を素早く得ることができる。その結果として、環境温度にほとんど左右されることなく、熱アシスト磁気記録を行うことができる磁気記録再生装置を提供できる。また、情報を記録する際に、磁気記録媒体の過熱を防止することができるので、磁気記録媒体を損傷させてしまうことがない。
【００１０】
ここで、再生信号評価値としては、再生信号の振幅値、ビットエラーレート（ＢＥＲ）、ＳＡＭ（Sequenced Amplitude Margin）によるビットエラーレートの推定値等を使用することができる。なお、ここでの環境温度とは、磁気記録媒体の周囲の温度の意味であるが、実際には磁気記録媒体自体の温度も周囲の温度によって変化することから、厳密には加熱手段により加熱パワーを与えられる前の磁気記録媒体の温度を意味する。
【００１１】
前記抽出手段は、前記予備記録手段による前記記録領域への情報の複数回の予備的な記録が行われる際に、前記記録領域に与えられる加熱パワーが１回の予備的な記録ごとに次第に大きくなるように、前記予備記録手段を制御することが好ましい。これによると、小さな加熱パワーから順に大きな加熱パワーへと変化させているため、最も小さな加熱パワーに係る駆動条件を選択することができる。
【００１２】
別の観点において、本発明の磁気記録再生装置は、記録ヘッドと、磁気抵抗効果を示す再生ヘッドと、情報を記録可能な磁気記録媒体と、前記磁気記録媒体の記録領域を加熱するための加熱手段とを備え、前記記録ヘッドに電流を印加して磁界を発生させると共に前記磁気記録媒体の前記記録領域を前記加熱手段を用いて加熱することによって、加熱により保磁力が低下した前記磁気記録媒体に情報を記録し、前記磁気記録媒体の前記記録領域に記録された情報を前記再生ヘッドによって再生する、磁気記録再生装置である。そして、この磁気記録再生装置は、定電流又は一定振幅を有する波形電流が前記記録ヘッドに印加されるようにすると共に、前記加熱手段から前記磁気記録媒体の前記記録領域に加熱パワーが与えられるようにするために前記加熱手段を予備駆動条件に従って駆動することによって、前記磁気記録媒体の前記記録領域に情報を予備的に記録する予備記録手段と、前記予備記録手段によって前記記録領域に予備的に記録された情報を前記再生ヘッドによって再生して得られる再生信号から再生信号評価値を得て、この再生信号評価値と予め定めておいた基準値との優劣を判定する判定手段と、前記予備駆動条件が互いに異なる複数回の前記予備記録手段による前記記録領域への情報の予備的な記録が行われるように、前記予備記録手段を制御すると共に、前記複数回の予備的な記録に係る複数の前記予備駆動条件の中から、前記再生信号評価値が前記基準値と一致している又は前記基準値よりも優れているという前記判定手段による前記判定結果が得られたものであって、且つ、前記複数の前記予備駆動条件に係る複数の前記再生信号評価値の中で最も優れた前記再生信号評価値に係る前記予備駆動条件を抽出する抽出手段と、前記抽出手段が抽出した前記予備駆動条件を、前記磁気記録媒体へ情報を記録する際の前記加熱手段の駆動条件に決定する駆動条件決定手段とを備えている。
【００１３】
これによれば、環境温度が季節などにより変化しても、磁気記録媒体の温度を意図した温度（例えば、磁気記録媒体に記録するのに適した範囲内の温度）に調整するような好適な加熱手段の駆動条件を素早く得ることができる。その結果として、環境温度にほとんど左右されることなく、熱アシスト磁気記録を行うことができる磁気記録再生装置を提供できる。また、情報を記録する際に、磁気記録媒体の過熱を防止することができる。
【００１４】
前記判定手段は、第１回目の予備的な記録を考慮しない場合に、前記予備記録手段が前記記録領域への情報の予備的な記録を行うごとに、当該予備的な記録に係る前記再生信号評価値と前記基準値との優劣を判定し、前記抽出手段は、前記再生信号評価値が前記基準値と一致している又は前記基準値よりも優れているという前記判定手段による判定結果が得られるごとに、当該再生信号評価値と、その直前に、前記基準値と一致している又は前記基準値よりも優れているという前記判定手段による判定結果が得られた再生信号評価値との優劣を判定することが好ましい。これによると、最も優れた再生信号評価値に係る駆動条件を効率よく抽出することができる。
【００１５】
前記抽出手段は、前記予備記録手段による前記記録領域への情報の複数回の予備的な記録が行われる際に、前記記録領域に与えられる加熱パワーが１回の予備的な記録ごとに次第に大きくなるように、前記予備記録手段を制御し、前記判定手段が２つの前記再生信号評価値の優劣を判定した結果、新たな再生信号評価値が直前の再生信号評価値よりも劣ると判定された場合には、それまで行われた複数回の予備的な記録に係る複数の前記予備駆動条件の中から、前記直前の再生信号評価値に係る前記予備駆動条件を抽出することが好ましい。これによると、できるだけ小さな加熱パワーに係る駆動条件を選択することができる。そして、新たな再生信号評価値が直前の再生信号評価値よりも劣ると判定された場合にさらなる予備記録を行わないようにすることによって、磁気記録媒体を過剰に熱する可能性を低めることができる。「第１回目の予備的な記録を考慮しない」とは、予備記録手段が第１回目の予備的な記録を行った直後に当該予備的な記録に係る再生信号評価値と基準値との優劣を判定してもいいし、しなくてもいいことを意味するものとする。
【００１６】
前記記録領域に与えられる加熱パワーが所定上限値に達した後には前記予備記録手段が新たな予備的な記録を行わないように、前記抽出手段を制御する予備記録終了手段をさらに備えていることが好ましい。これによると、加熱パワーの上限値を設けているので、より確実に磁気記録媒体の過熱を防止することができる。
【００１７】
前記加熱手段が発光素子を含んでおり、前記発光素子から発せられた光を利用して前記磁気記録媒体を加熱することが好ましい。これによると、加熱手段が発光素子を含んでいるので、加熱と非加熱とを繰り返す変化の周波数特性を向上させることが可能となり、磁気記録媒体への記録レートを向上させることが可能となる。また、磁気記録媒体を光で直接加熱することにすれば、より効率的に磁気記録媒体を加熱することができる。
【００１８】
発光素子を用いて磁気記録媒体を加熱する場合には、磁気記録媒体の温度が、環境温度に加えて、発光素子からの出射光量、すなわち、加熱パワーによっても意図しないものとなってしまう。発光素子への投入電流と出射光量の関係は、素子の温度つまり環境温度に依存する。したがって、環境温度が高ければ、過熱によって磁気記録媒体を損傷させてしまうおそれがあり、これを避けるために光量モニタを有することが重要となる。しかし、本発明においては、磁気記録媒体が過熱されるのを防止できるので、光量モニタを有している必要がない。
【００１９】
前記記録ヘッドが、前記定電流又は前記一定振幅を有する前記波形電流が印加されることによって記録磁界を発生する金属線を有しており、前記発光素子から発せられた光が前記金属線に照射されることにより発生した近接場光によって、前記磁気記録媒体が加熱されることが好ましい。これによると、より微小な領域を加熱することが可能となるため、記録密度を向上させることが可能となる。
【００２０】
記録ヘッドの一部を構成する金属線は、照射された光を吸収して昇温する。さらに、記録ヘッドは、加熱された磁気記録媒体から１０ｎｍ程度に接近しているため、磁気記録媒体からの伝熱または輻射熱により加熱され、大幅に昇温するおそれがある。このように記録ヘッドの温度上昇幅が大きければ、繰り返される温度上昇及び温度低下に伴って発生する熱応力のために、金属線に疲労現象が発生する。そして、温度上昇幅が非常に大きければ、金属線が溶けて破損する可能性がある。しかし、本発明においては、磁気記録媒体が過熱されるのを防止できること及び環境温度が高い場合には発光素子への駆動電流が低下することのために、金属線の温度上昇を抑制することができる。その結果、金属線の過熱が防止されて記録ヘッドの寿命が伸びると共に、記録ヘッドの破損を防止することができる。
【００２１】
前記磁気記録媒体が円盤形状を有しており、前記予備記録手段は、前記磁気記録媒体の中心から距離ｒｉだけ離れた位置を含む、前記磁気記録媒体の前記記録領域に設けられた第１予備記録領域、及び、前記磁気記録媒体の前記中心から距離ｒｏ（ｒｏ＞ｒｉ）だけ離れた位置を含む、前記磁気記録媒体の前記記録領域に設けられて前記第１予備記録領域よりも外周側にある第２予備記録領域に、前記磁気記録媒体を所定の角速度で回転させつつ、情報を予備的に記録し、前記駆動条件決定手段は、前記磁気記録媒体の前記中心から前記距離ｒｉだけ離れた前記第１予備記録領域内の位置、及び、前記磁気記録媒体の前記中心から前記距離ｒｏだけ離れた前記第２予備記録領域内の位置における前記加熱手段の駆動条件を決定し、前記所定の角速度で回転する前記磁気記録媒体の前記中心から任意の距離ｒだけ離れた位置に対して情報を記録する際の前記加熱手段の前記駆動条件を、下記式（Ａ）から得られる加熱パワーＰｒに基づいて導出する駆動条件導出手段とをさらに備えていることが好ましい。
Ｐｒ＝Ｐｉ＋（ｒ−ｒｉ）×（Ｐｏ−Ｐｉ）／（ｒｏ−ｒｉ）      （Ａ）
（Ｐｉ：前記駆動条件決定手段が決定した距離ｒｉにおける前記駆動条件にしたがって駆動された前記加熱手段から前記磁気記録媒体の前記第１予備記録領域に与えられる加熱パワー、
Ｐｏ：前記駆動条件決定手段が決定した距離ｒｏにおける前記駆動条件にしたがって駆動された前記加熱手段から前記磁気記録媒体の前記第２予備記録領域に与えられる加熱パワー、
Ｐｒ：前記磁気記録媒体の前記中心から任意の距離ｒだけ離れた位置に対して情報を記録するための加熱パワー）
【００２２】
所定の角速度で回転している磁気記録媒体は、その中心からの距離が異なれば、線速度が異なるので、同じ加熱パワーで熱せられたとしても、到達温度が異なってくる。上記構成によれば、第１予備記録領域及び第２予備記録領域について、駆動条件決定手段により決定された駆動条件から、中心から任意の距離ｒだけ離れた位置に対して情報を記録する際の加熱手段の駆動条件を、２回の予備的記録を行う以外は演算だけによって容易に且つ短時間で決定することができる。
【００２３】
前記磁気記録媒体が円盤形状を有しており、前記予備記録手段は、前記磁気記録媒体の中心から距離ｒｉだけ離れた位置を含む、前記磁気記録媒体の前記記録領域に設けられた第１予備記録領域、及び、前記磁気記録媒体の前記中心から距離ｒｏ（ｒｏ＞ｒｉ）だけ離れた位置を含む、前記磁気記録媒体の前記記録領域に設けられて前記第１予備記録領域よりも外周側にある第２予備記録領域に、前記磁気記録媒体を所定の角速度で回転させつつ、情報を予備的に記録し、前記駆動条件決定手段は、前記磁気記録媒体の前記中心から前記距離ｒｉだけ離れた前記第１予備記録領域内の位置、及び、前記磁気記録媒体の前記中心から前記距離ｒｏだけ離れた前記第２予備記録領域内の位置における前記加熱手段の駆動条件を決定し、前記所定の角速度で回転する前記磁気記録媒体の前記中心から前記距離ｒｏと前記距離ｒｉとの平均距離ｒｃだけ離れた位置に対して情報を記録する際の前記加熱手段の前記駆動条件を、下記式（Ｂ）から得られる加熱パワーＰｒｃに基づいて導出し、当該導出された前記駆動条件を、前記第１予備記録領域と前記第２予備記録領域とに挟まれた記録領域に情報を記録する際の前記加熱手段の前記駆動条件に決定する駆動条件導出手段とをさらに備えていることが好ましい。
Ｐｒｃ＝Ｐｉ＋（ｒｃ−ｒｉ）×（Ｐｏ−Ｐｉ）／（ｒｏ−ｒｉ）      （Ｂ）
（Ｐｉ：前記駆動条件決定手段が決定した距離ｒｉにおける前記駆動条件にしたがって駆動された前記加熱手段から前記磁気記録媒体の前記第１予備記録領域に与えられる加熱パワー、
Ｐｏ：前記駆動条件決定手段が決定した距離ｒｏにおける前記駆動条件にしたがって駆動された前記加熱手段から前記磁気記録媒体の前記第２予備記録領域に与えられる加熱パワー、
Ｐｒｃ：前記磁気記録媒体の前記中心から距離ｒｃだけ離れた位置に対して情報を記録するための加熱パワー）
【００２４】
中心から任意の距離だけ離れた位置に対して情報を記録する際の加熱手段の駆動条件を、２回の予備的記録を行う以外は演算だけによって容易に且つ短時間で決定することができる。また、もし異なる半径ごとに加熱手段の駆動条件を決定した場合、駆動条件のデータ量が非常に大きくなって、これを保持するための記憶手段の容量を大きくする必要が生じる。しかし、この構成によれば、駆動条件のデータ量を最小限にとどめることが可能となるので、記憶手段の容量を比較的小さくすることができる。また、駆動条件導出手段が一旦加熱手段の駆動条件を決定した後は、いかなる位置に情報を記録する場合であって、加熱手段の駆動条件を決定するための演算を改めて行う必要がないので、演算量が少なくて済む。
【００２５】
前記磁気記録媒体が円盤形状を有しており、前記磁気記録媒体の前記記録領域には、前記磁気記録媒体の前記中心から距離の範囲が重複しない複数のゾーンが設けられており、各ゾーン内では内部転送レートが一定であり、前記予備記録手段は、前記磁気記録媒体の中心から距離ｒｉだけ離れた位置を含む、前記磁気記録媒体の前記記録領域に設けられた第１予備記録領域、及び、前記磁気記録媒体の前記中心から距離ｒｏ（ｒｏ＞ｒｉ）だけ離れた位置を含む、前記磁気記録媒体の前記記録領域に設けられて前記第１予備記録領域よりも外周側にある第２予備記録領域に、前記磁気記録媒体を所定の角速度で回転させつつ、情報を予備的に記録し、前記駆動条件決定手段は、前記磁気記録媒体の前記中心から前記距離ｒｉだけ離れた前記第１予備記録領域内の位置、及び、前記磁気記録媒体の前記中心から前記距離ｒｏだけ離れた前記第２予備記録領域内の位置における前記加熱手段の駆動条件を決定し、前記所定の角速度で回転する前記磁気記録媒体の各ゾーンにおいて前記中心から最も離れた位置と前記中心に最も近い位置との中間位置に対して情報を記録する際の前記加熱手段の前記駆動条件を、下記式（Ｃ）から得られる加熱パワーＰｒに基づいて導出し、当該導出された前記駆動条件を、当該ゾーンに情報を記録する際の前記加熱手段の前記駆動条件に決定する駆動条件導出手段とをさらに備えていることが好ましい。
Ｐｒ＝Ｐｉ＋（ｒｚ−ｒｉ）×（Ｐｏ−Ｐｉ）／（ｒｏ−ｒｉ）      （Ｃ）
（Ｐｉ：前記駆動条件決定手段が決定した距離ｒｉにおける前記駆動条件にしたがって駆動された前記加熱手段から前記磁気記録媒体の前記第１予備記録領域に与えられる加熱パワー、
Ｐｏ：前記駆動条件決定手段が決定した距離ｒｏにおける前記駆動条件にしたがって駆動された前記加熱手段から前記磁気記録媒体の前記第２予備記録領域に与えられる加熱パワー、
Ｐｒ：前記磁気記録媒体の各ゾーンの前記中間位置（前記磁気記録媒体の中心から距離ｒｚ）に対して情報を記録するための加熱パワー）
【００２６】
中心から任意の距離だけ離れた位置に対して情報を記録する際の加熱手段の駆動条件を、２回の予備的記録を行う以外は演算だけによって容易に且つ短時間で決定することができる。また、もし異なる半径ごとに加熱手段の駆動条件を決定した場合、駆動条件のデータ量が非常に大きくなって、これを保持するための記憶手段の容量を大きくする必要が生じる。しかし、各ゾーンについて１つの駆動条件を決定する本構成によれば、駆動条件のデータ量を比較的小さい量にすることが可能となるので、記憶手段の容量を比較的小さくすることができる。また、駆動条件導出手段が一旦加熱手段の駆動条件を各ゾーンについて決定した後は、いかなる位置に情報を記録する場合であって、加熱手段の駆動条件を決定するための演算を改めて行う必要がないので、演算量が少なくて済む。また、複数のゾーンのそれぞれに加熱手段の駆動条件を決定するので、各ゾーンを当該ゾーンに適した加熱パワーで加熱することが可能となる。
【００２７】
前記駆動条件決定手段及び前記駆動条件導出手段が決定した前記駆動条件に関する情報が、利用者が記録したい情報が記録される前記磁気記録媒体における利用者用記録領域より外周領域に記録されてもよい。これによると、磁気記録媒体に記録された駆動条件の情報を読み出す時間を短縮化することができる。
【００２８】
また、本発明の磁気記録条件決定方法は、記録ヘッドと、磁気抵抗効果を示す再生ヘッドと、情報を記録可能な磁気記録媒体と、前記磁気記録媒体の記録領域を加熱するための加熱手段とを備え、前記記録ヘッドに電流を印加して磁界を発生させると共に前記磁気記録媒体の前記記録領域を前記加熱手段を用いて加熱することによって、加熱により保磁力が低下した前記磁気記録媒体に情報を記録し、前記磁気記録媒体の前記記録領域に記録された情報を前記再生ヘッドによって再生する、磁気記録再生装置での磁気記録条件決定方法において、定電流又は一定振幅を有する波形電流が前記記録ヘッドに印加されるようにすると共に、前記加熱手段から前記磁気記録媒体の前記記録領域に加熱パワーが与えられるようにするために前記加熱手段を予備駆動条件に従って駆動することによって、前記磁気記録媒体の前記記録領域に情報を予備的に記録する予備記録工程と、前記予備記録工程で前記記録領域に予備的に記録された情報を前記再生ヘッドによって再生して得られる再生信号から再生信号評価値を得て、この再生信号評価値と予め定めておいた基準値との優劣を判定する判定工程との２つの工程を、前記再生信号評価値が前記基準値と一致している又は前記基準値よりも優れているという前記判定工程での判定結果が得られるまで、一回又は前記予備駆動条件が互いに異なるように複数回行い、前記再生信号評価値が前記基準値と一致している又は前記基準値よりも優れているという前記判定工程での当該判定結果に係る前記加熱手段の前記予備駆動条件を抽出する抽出工程と、前記抽出工程で抽出された前記予備駆動条件を、前記磁気記録媒体へ情報を記録する際の前記加熱手段の駆動条件に決定する駆動条件決定工程とを備えている。
【００２９】
別の観点において、本発明の磁気記録条件決定方法は、記録ヘッドと、磁気抵抗効果を示す再生ヘッドと、情報を記録可能な磁気記録媒体と、前記磁気記録媒体の記録領域を加熱するための加熱手段とを備え、前記記録ヘッドに電流を印加して磁界を発生させると共に前記磁気記録媒体の前記記録領域を前記加熱手段を用いて加熱することによって、加熱により保磁力が低下した前記磁気記録媒体に情報を記録し、前記磁気記録媒体の前記記録領域に記録された情報を前記再生ヘッドによって再生する、磁気記録再生装置での磁気記録条件決定方法において、定電流又は一定振幅を有する波形電流が前記記録ヘッドに印加されるようにすると共に、前記加熱手段から前記磁気記録媒体の前記記録領域に加熱パワーが与えられるようにするために前記加熱手段を予備駆動条件に従って駆動することによって、前記磁気記録媒体の前記記録領域に情報を予備的に記録する予備記録工程と、前記予備記録工程で前記記録領域に予備的に記録された情報を前記再生ヘッドによって再生して得られる再生信号から再生信号評価値を得て、この再生信号評価値と予め定めておいた基準値との優劣を判定する判定工程との２つの工程を、前記予備駆動条件が互いに異なるように複数回行い、前記複数回の予備的な記録に係る複数の前記予備駆動条件の中から、前記再生信号評価値が前記基準値と一致している又は前記基準値よりも優れているという前記判定工程での前記判定結果が得られたものであって、且つ、前記複数の前記予備駆動条件に係る複数の前記再生信号評価値の中で最も優れた前記再生信号評価値に係る前記予備駆動条件を抽出する抽出工程と、前記抽出工程で抽出された前記予備駆動条件を、前記磁気記録媒体へ情報を記録する際の前記加熱手段の駆動条件に決定する駆動条件決定工程とを備えている。
【図面の簡単な説明】
【００３０】
【図１】本発明の第１実施形態に係る磁気記録再生装置の概略図である。
【図２】図１に示す磁気記録再生装置における磁気ヘッドの縦断面図である。
【図３】図２に示す磁気ヘッドの斜視図である。
【図４】図１に示す磁気記録再生装置の動作フローチャートである。
【図５（ａ）】記録ヘッドにおける金属線へ印加する電流信号の一例を示すグラフである。
【図５（ｂ）】記録ヘッドにおける金属線へ印加する電流信号の別の一例を示すグラフである。
【図６】磁気記録媒体における保磁力及び磁化量と温度との関係の一例を示すグラフである。
【図７】本発明の第１実施形態の変形例１に係る磁気記録再生装置の概略図である。
【図８】図６に示す磁気記録再生装置における磁気記録媒体を示す平面図である。
【図９】本発明の第１実施形態の変形例２に係る磁気記録再生装置の概略図である。
【図１０】図９に示す磁気記録再生装置における磁気記録媒体を示す平面図である。
【図１１】本発明の第１実施形態の変形例３に係る磁気記録再生装置における磁気記録媒体を示す平面図である。
【図１２】本発明の第２実施形態に係る磁気記録再生装置の概略図である。
【図１３】図１２に示す磁気記録再生装置の動作フローチャートである。
【図１４（ａ）】記録ヘッドにおける金属線へ印加する電流信号の一変形例を示すグラフである。
【図１４（ｂ）】記録ヘッドにおける金属線へ印加する電流信号の別の一変形例を示すグラフである。
【図１５】駆動条件の情報が記録される領域を説明するための磁気記録媒体の平面図である。
【図１６】従来の熱アシスト磁気記録再生装置に使用される磁気記録媒体を構成する記録層の保磁力Ｈｃと磁化量Ｍと温度Ｔとの関係の一例を示すグラフである。
【発明を実施するための最良の形態】
【００３１】
＜第１実施形態＞
まず、本発明の第１実施形態に係る磁気記録再生装置について、図１〜図３を参照して説明する。【００３２】
本実施形態の磁気記録再生装置１００は、図１に示すように、磁気記録及び磁気再生を行うための磁気ヘッド１、ディスク状の磁気記録媒体２、磁気記録媒体２を回転駆動するためのスピンドル３及びスピンドルモータ４、磁気ヘッド１を先端において支持固定するサスペンションアーム５、サスペンションアーム５を磁気記録媒体２上で揺動させ、磁気ヘッド１を磁気記録媒体２上の所望位置に移動させるボイスコイルモータ６、およびこれらを制御するための制御ブロック７を含んでいる。制御ブロック７は、スピンドルモータ４及びボイスコイルモータ６を制御するモータドライバ８と、磁気記録媒体２への書込み信号の増幅や、磁気記録媒体２からの再生信号の増幅を行うとともに、これらの信号を磁気ヘッド１とやり取りするヘッドアンプ９と、磁気記録媒体２に記録する信号の符号化及び再生された信号の復号化を行う回路であるリードライトチャネル１０と、磁気ヘッド１に形成された半導体レーザの駆動電流を制御するレーザドライバ１１と、モータドライバ８、リードライトチャネル１０及びレーザドライバ１１と接続されており、これら各部をコントロールするコントローラ１２とを含んでいる。スピンドルモータ４及びモータドライバ８は、記録時、再生時及び後述する予備記録時のいずれにおいても、磁気記録媒体２を一定角速度で回転させる。【００３３】
磁気ヘッド１は、図２に示すように、サスペンションアーム５の先端部に形成されたスライダ２１と、スライダ２１の一端に順に形成された再生ヘッド２２及び記録ヘッド２３と、記録ヘッド２３の厚さ方向（図２紙面上下方向）に下から順に積層された屈折率分布型レンズ２４と半導体レーザ素子２５とを含んでいる。【００３４】
再生ヘッド２２は、非磁性層を一対の磁性層で挟んだ積層体を有する磁気抵抗効果素子（図示せず）を含む再生用磁気センサである。磁気抵抗効果素子は、上述の積層体の側面（非磁性層及び一対の磁性層の積層方向と平行な面）が、磁気記録媒体２の表面と対向するように配置されている。なお、ここでは、磁気抵抗効果素子として、いわゆるＴＭＲ（トンネル磁気抵抗効果）素子が用いられているが、これに限られるものではなく、ＧＭＲ素子などの他の磁気抵抗効果素子が用いられてもよい。【００３５】
記録ヘッド２３は、図３に示すように、磁気記録媒体２との対向面（図３において記録ヘッド２３の下面）の略中央部にＵ字型に屈曲した狭窄部分を有する細線構造体である金属線２３ａを含んでいる。この金属線２３ａに対して、記録する情報に対応した記録電流である高周波信号電流を投入することにより、金属線２３ａの周囲に磁界が発生する。磁界は、周囲よりも細いために電流密度が高くなるＵ字型部分の周囲において大きくなる。Ｕ字型部分の周囲に発生する磁界の方向は、Ｕ字型部分を流れる電流の方向に依存する。【００３６】
ここで、スライダ２１を構成する材料としては、ＡｌＴｉＣなどが挙げられる。屈折率分布型レンズ２４を構成する材料としては、ガラス材料やポリマー材料などが挙げられる。半導体レーザ素子２５を構成する材料としては、ＧａＡｓ（発振波長が６５０ｎｍの赤色レーザ光を発生可）、ＧａＮ（発振波長が４０５ｎｍの青紫色レーザ光を発生可）などが挙げられる。【００３７】
このような構成を有する磁気ヘッド１は、公知のスパッタリング法及びエッチング技術などを用いて形成することができる。【００３８】
磁気記録媒体２は、熱アシスト磁気記録再生用のものである。磁気記録媒体２の磁性層に使用できる材質として、ＴｂＦｅＣｏ、ＣｏＣｒＰｔ系、希土類遷移金属、ＦｅＰｔ系、及びＲｈＦｅ系といった反強磁性物質が挙げられる。【００３９】
コントローラ１２は、ＣＰＵ、プログラムＲＯＭ及びＲＡＭ（共に図示せず）を含んでいる。ＣＰＵは、プログラムＲＯＭ及びＲＡＭと接続されており、これらとともにいわゆるマイクロコンピュータを形成している。プログラムＲＯＭには、複数のコマンド及び制御データなどのプログラムが格納されている。各コマンドは、所定条件の成立を契機としてＣＰＵによってプログラムＲＯＭから呼び出されてＲＡＭにセットされる。そして、ＲＡＭにセットされたコマンドは所定のタイミングでコントローラ１２からモータドライバ８やレーザドライバ１１などの制御したい部分に供給される。マイクロコンピュータには、予備記録部１３と、判定部１４と、抽出部１５と、駆動条件決定部１６と、予備記録終了部１７と、記憶部１８とが構成されている。【００４０】
予備記録部１３は、抽出部１５の命令を受けて、定電流又は一定振幅を有する波形電流が記録ヘッド２３に印加されるようにすると共に、半導体レーザ素子２５から磁気記録媒体２の予備記録領域に加熱パワーが与えられるようにするためにレーザドライバ１１を介して半導体レーザ素子２５を予備駆動条件に従って駆動することによって、磁気記録媒体２の予備記録領域に情報を予備的に記録する。予備記録領域が設けられる場所については後述する。【００４１】
判定部１４は、抽出部１５の命令を受けて、予備記録部１３によって磁気記録媒体２の予備記録領域に記録された情報を再生ヘッド２２で再生して得られる再生信号から再生信号評価値を得て、この再生信号評価値と予め定めておいた基準値との優劣を判定する。【００４２】
抽出部１５は、予備記録部１３と判定部１４とを制御して、所定の条件を満たす予備駆動条件を抽出する。具体的には、抽出部１５は、再生信号評価値が基準値と一致している又は基準値よりも優れているという判定部１４による判定結果が得られるまで、一回又は予備駆動条件が互いに異なる複数回の予備記録部１３による予備記録領域への情報の予備的な記録が行われるように、予備記録部１３及び判定部１４を制御する。そして、抽出部１５は、再生信号評価値が基準値と一致している又は基準値よりも優れているという判定部１４による判定結果に係る半導体レーザ素子２５の予備駆動条件を抽出する。また、抽出部１５は、再生信号評価値などの記憶部１８への格納処理を行う。【００４３】
駆動条件決定部１６は、抽出部１５が抽出した予備駆動条件を、磁気記録媒体２へ情報を記録する際の半導体レーザ素子２５の駆動条件に決定する。【００４４】
予備記録終了部１７は、予備記録領域に与えられる加熱パワーが所定上限値に達した後には予備記録部１３が新たな予備的な記録を行わないように、抽出部１５を制御する。【００４５】
記憶部１８は、判定部１４が導出した再生信号評価値、抽出部１５が抽出した予備駆動条件、及び、駆動条件決定部１６が決定した駆動条件を格納する。【００４６】
次に、本実施形態の磁気記録再生装置１００の動作について、図４をさらに参照して説明する。【００４７】
まず、ステップＳ１において、磁気記録媒体２が回転しており且つ記録ヘッド２３が予備記録領域に位置している状態で、抽出部１５の命令を受けた予備記録部１３によって、記録ヘッド２３の金属線２３ａに電流を流すと共に、レーザ光照射処理、つまり半導体レーザ素子２５に予備駆動条件に従った駆動電流を投入してレーザ光２６を発射させる処理を行う。【００４８】
すなわち、ステップＳ１においては、記録ヘッド２３の金属線２３ａに電流を流すことによって、金属線２３ａの周囲に記録磁界を発生させる。ここで、金属線２３ａに流す記録電流は、図５（ａ）に示す、一定の正電流値に保持された定電流信号、又は、図５（ｂ）に示す、一定の振幅値及び一定の高周波数を有する正負を交互に繰り返す矩形波電流のいずれかとする。なお、図５（ｂ）に示す信号は、一定振幅を有する波形電流であれば、他の形状であってもよい。記録ヘッド２３に流す記録電流を図５（ａ）又は図５（ｂ）に示すものとしているため、記録ヘッド２３が発生させる記録磁界の大きさは予備記録領域において一定となる。厳密には、図５（ａ）及び図５（ｂ）のいずれの場合でも、記録電流波形の立ち上がり及び立ち下がりにおいて記録磁界の大きさは過渡的に変化する。しかし、信号の記録に寄与するのは、実質的に電流波形において電流値が最大となった部分である。したがって、記録磁界の大きさが一定になるとして差し支えない。【００４９】
ステップＳ１においては、記録ヘッド２３の金属線２３ａに電流を流すと共に、予備駆動条件に従った駆動電流で半導体レーザ素子２５を駆動して、レーザ光２６を金属線２３ａに照射する。ステップＳ１を最初に実行する際には、予め定めておいた初期の予備駆動条件を用いる。図３に示したように、半導体レーザ素子２５は、記録ヘッド２３に向けてレーザ発振する。その際、屈折率分布型レンズ２４によって集光されたレーザ光２６が記録ヘッド２３に向けて発せられる。そして、レーザ光２６が金属線２３ａに照射されると、磁気記録媒体２に面した金属線２３ａの下面よりも下方に近接場光と呼ばれる局在光が発生する。この局在光によって、磁気記録媒体２の予備記録領域を加熱することができる。このように、記録ヘッド２３の金属線２３ａが発生させる磁界と、局在光による磁気記録媒体２の加熱作用とにより、磁気記録媒体２の磁化方向を示す情報を磁気記録媒体２の予備記録領域に予備的に熱アシスト磁気記録する。【００５０】
つまり、記録ヘッド２３によって記録磁界が磁気記録媒体２に印加されているときに、半導体レーザ素子２５を利用した近接場光によって磁気記録媒体２の温度が上昇し、磁気記録媒体２の保磁力が記録磁界と同じ大きさとなる温度に達したとき、金属線２３ａを流れる電流の方向に依存した情報が磁気記録媒体２に予備的に記録されることになる（図６参照）。【００５１】
磁気記録媒体２における保磁力と温度との関係は、磁気記録媒体２に用いられる磁性層の材料及び組成によって異なる。しかし、この関係は経時変化しないため、記録磁界の大きさが一定であるときに情報が記録される磁気記録媒体２の温度は、ほぼ一定の温度のまま維持される。磁気記録媒体２に情報を記録するのに必要な近接場光の光量は、環境温度が高い場合には少なくてすむが、環境温度が低い場合には多くなる。そして、それに合わせて半導体レーザ素子２５の駆動電流を調整する必要がある。【００５２】
ここでは、記録ヘッド２３の金属線２３ａへの記録電流の印加と、半導体レーザ素子２５への駆動電流の印加とは概ね同じタイミングで行う。しかしながら、半導体レーザ素子２５に対して駆動電流を投入してから、レーザ光が出力されるまでには若干時間遅れがあること、及び、磁気記録媒体２に加熱パワーを伴うレーザ光が照射されてから、磁気記録媒体２の温度が上昇するまでには若干の時間遅れがあることを見越して、半導体レーザ素子２５への駆動電流の投入時刻を、記録ヘッド２３の金属線２３ａに与える記録電流の投入時刻よりも早めてもよい。【００５３】
ステップＳ１において、記録ヘッド２３の金属線２３ａに記録電流を与える時間の長さ、及び、半導体レーザ素子２５へ駆動電流を投入する時間の長さは、後述する再生信号評価値として再生信号に関するどのような属性を採用するかによって異なる。再生信号の振幅を再生信号評価値とする場合は、再生信号を評価するのに必要なビット数が少なくてよいため、上記時間を短く、ビットエラーレートを再生信号評価値とする場合は、必要なビット数が多くなるため、上記時間を長くする必要がある。【００５４】
半導体レーザ素子２５に投入する駆動電流は、半導体レーザ素子２５の閾値電流を超える範囲で、磁気記録媒体２が過熱によって損傷しないように十分小さな値とするので、比較的小さな加熱パワーで予備記録領域への加熱が開始される。【００５５】
次に、ステップＳ２において、コントローラ１２からの命令で、再生ヘッド２２の位置決め処理が行われる。すなわち、ステップＳ２においては、記録ヘッド２３の金属線２３ａへの印加電流と、半導体レーザ素子２５への駆動電流とをＯＦＦにし、ステップＳ１で情報を予備記録した予備記録領域内の場所に再生ヘッド２２を位置決めする処理が行われる。【００５６】
続いて、ステップＳ３において、抽出部１５の命令を受けた判定部１４によって、再生信号評価値の取得処理及び記憶処理が行われる。すなわち、ステップＳ３においては、磁気ヘッド１に設けられた再生ヘッド２２により、ステップＳ１で情報が予備記録された場所から得られる信号を再生し、再生信号評価値を得る処理が行われる。さらに、ステップＳ３では、この得られた再生信号評価値を記憶部１８に記録する処理が行われる。ここで、再生信号評価値としては、再生信号の振幅値、ビットエラーレート（ＢＥＲ）、ＳＡＭ（Sequenced Amplitude Margin）による推定ビットエラーレートなどがある。【００５７】
続いて、ステップＳ４において、抽出部１５の命令を受けた判定部１４によって、ステップＳ３で得られた再生信号評価値が基準値以上になっているかどうかを判定する処理が行われる。この判定処理において、再生信号評価値が基準値以上であると判定された場合には（Ｓ４：ＹＥＳ）、ステップＳ５において、コントローラ１２からの命令で、このときの予備駆動条件を記憶部１８に格納する処理が行われ、その後に処理を終了する。このとき記憶部１８に格納された予備駆動条件が、駆動条件決定部１６によって、半導体レーザ素子２５の駆動条件に決定される。【００５８】
ステップＳ５で決定された半導体レーザ素子２５の駆動条件は、記録されることをユーザが希望する情報を、中心からの距離が予備記録領域内の予備記録された位置と実質的に同じ位置に記録する際に用いられる。これは、中心からの距離が同じであれば線速度が互いに同じとなり、線速度が互いに同じ位置であれば駆動条件をそのまま採用できるからである。つまり、本実施形態では、磁気記録媒体２の径方向に延びて媒体２の半径とほぼ同じ長さを有する予備記録領域が設けられていることになる。【００５９】
上記判定処理において、再生信号評価値が基準値以上でないと判定された場合には（Ｓ４：ＮＯ）、ステップＳ６に進む。ステップＳ６では、ステップＳ１における半導体レーザ素子２５の駆動電流の値が、磁気記録媒体２の過熱を防止するための値として予め決められていた最大駆動電流を超えているかどうか判定する処理が、予備記録終了部１７によって行われる。なお、「最大駆動電流」については、後で詳述する。【００６０】
「再生信号評価値が基準値以上になっている」とは、再生信号評価値と基準値との数値の大小関係を意味しているのではなく、「再生信号評価値に係る再生信号が品質において基準値に係る再生信号と同等である又は基準値に係る再生信号よりも優れていること」を意味している。本明細書において、「再生信号評価値が基準値以上になっている」ことを、「再生信号評価値が基準値と一致している又は基準値よりも優れている」と表現することがある。【００６１】
具体例を用いて説明する。再生信号評価値として再生信号の振幅値を用いた場合、所定の振幅値を基準値とし、得られた再生信号評価値としての振幅値が、前記基準値以上であればステップＳ５へ、前記基準値未満であればステップＳ６へ処理が移行する。また、再生信号評価値としてビットエラーレートを用いた場合、所定のビットエラーレートを基準値とし、得られた再生信号評価値としてのビットエラーレートが、前記基準値以上であればステップＳ５へ、前記基準値未満であればステップＳ６へ処理が進行する。また、ビット検出方式としてＰＲＭＬ（Partial Response Maximum Likelihood）を用いる場合、再生信号評価値としてＳＡＭ（Sequenced Amplitude Margin）と呼ばれる評価手法により得られる評価値を使用してもよい。このとき、このＳＡＭと呼ばれる評価手法でビットエラーレートの推測値が算出されるため、上述した再生信号評価値としてビットエラーレートを用いた場合と同様の動作で処理すればよい。【００６２】
ステップＳ６において、ステップＳ１での半導体レーザ素子２５の駆動電流が最大駆動電流を超えるものとなっていると判定された場合には（Ｓ６：ＹＥＳ）、予備記録終了部１７が抽出部１５を制御することによって、予備記録部１３が新たな予備的な記録を行うことなく、処理が終了する。ステップＳ１における半導体レーザ素子２５の駆動電流が最大駆動電流以下と判定された場合には（Ｓ６：ＮＯ）、ステップＳ７に進む。【００６３】
ステップＳ７では、次の予備記録時に半導体レーザ素子２５の駆動電流の値を所定値だけインクリメントするための命令が、予備記録部１３に与えられる。ステップＳ８では、制御ブロック７によって、直前に近接場光が照射された位置とは異なる位置上に記録ヘッド２３を移動させ、その後にステップＳ１に戻る。このような処理を終了に至るまで繰り返し行う。【００６４】
ステップＳ８において、直前に近接場光が照射された位置とは異なる位置上に記録ヘッド２３を移動させるのは、この時点では半導体レーザ素子２５の駆動条件が定まっていないため、直前に記録された信号を消去できないためである。したがって、図４の処理フローが終了し、半導体レーザ素子２５の駆動条件が決定された後には、予備記録領域に記録された全信号を消去しておくことが好ましい。このように、記録された全信号を消去しておくことにより、次に半導体レーザ素子２５の駆動条件を決定する処理を行う際に、当該記録された位置を再使用できるため、駆動条件を決定するために使用される領域を小さくすることができ、磁気記録媒体２におけるユーザーデータの記録に使用する領域を増加させることができる。【００６５】
近接場光が磁気記録媒体２に与える加熱パワーの上限値及び下限値（半導体レーザ素子２５の駆動電流の上限値及び下限値にそれぞれ対応する）は、磁気記録再生装置１００の使用環境温度範囲を考慮して適宜設定すればよい。一例として、図示しないセンサによって検知した磁気記録媒体２の温度が使用環境温度範囲の最高温度に達している場合には、磁気記録媒体２に情報を記録できる最小加熱パワーよりやや小さな加熱パワーを下限値とし、磁気記録媒体２の温度が使用環境温度範囲の最低温度に達している場合には、磁気記録媒体２に情報を記録できる最大加熱パワーよりやや大きな加熱パワーを上限値とする。さらに詳しくは、磁気記録媒体２の温度が使用環境温度範囲の最高温度に達している場合には、加熱パワーの下限値を、磁気記録媒体２の予備記録領域の最内周位置に情報を記録できる最小加熱パワーよりやや小さな加熱パワーとする。これは、角速度一定で回転する磁気記録媒体２における最内周位置において線速度が最小となって、磁気記録媒体２が最も加熱され易いためである。これに対して、磁気記録媒体２の温度が使用環境温度範囲の最低温度に達している場合には、加熱パワーの上限値を、磁気記録媒体２の予備記録領域の最外周位置に情報を記録できる最大加熱パワーよりやや大きな加熱パワーとする。そして、加熱パワーの上限値に対応した半導体レーザ素子２５の駆動電流を最大駆動電流とすればよい。【００６６】
上記構成の磁気記録再生装置１００によれば、環境温度が季節などにより変化しても、磁気記録媒体２の温度を意図した温度（例えば、磁気記録媒体２に記録するのに適した範囲内の温度）に調整するのに好適な半導体レーザ素子２５の駆動条件を素早く得ることができる。その結果として、環境温度にほとんど左右されることなく、熱アシスト磁気記録を容易に行うことができる磁気記録再生装置１００を提供できる。【００６７】
また、半導体レーザ素子２５を利用して磁気記録媒体２の予備記録領域に与えられる加熱パワーを１回の予備的な記録ごとに次第に大きくするようにしており、再生信号評価値が基準値以上となれば処理を終了するので、できるだけ小さな加熱パワーに係る駆動条件を選択することができると共に、より素早く良好な駆動条件を得ることができる。【００６８】
本実施形態では、記録ヘッド２３の一部を構成する金属線２３ａにレーザ光２６を照射するため、金属線２３ａがレーザ光２６を吸収して加熱される。しかも、通常、磁気ヘッド１は加熱された磁気記録媒体２から１０ｎｍ程度に接近しているため、金属線２３ａは、磁気記録媒体２からの伝熱あるいは輻射熱により加熱され、温度が大幅に上昇するおそれがある。温度上昇幅が大きければ、繰り返される温度上昇及び温度低下に伴って発生する熱応力のために、金属線２３ａに疲労現象が発生する。さらに、温度上昇幅が大きければ金属線２３ａが溶けて破損する可能性がある。しかし、本実施形態によれば、磁気記録媒体２が過熱されないように半導体レーザ素子２５の駆動条件を決定できること及び環境温度が高い場合には半導体レーザ素子２５への駆動電流が低下することのために、金属線２３ａの温度上昇を抑制することができる。その結果、金属線２３ａの過熱が防止されて、記録ヘッド２３の寿命が伸び、さらには記録ヘッド２３の破損を防止することができる。【００６９】
さらに、半導体レーザ素子２５の駆動電流が最大駆動電流に達した際、予備記録部１３が新たな予備的な記録を行わないように予備記録終了部１７が抽出部１５を制御するので、より確実に磁気記録媒体２の過熱を防止することができ、磁気記録媒体２の損傷を防止できる。【００７０】
また、環境温度が高く、半導体レーザ素子２５自身の温度も上昇し易くなる場合、駆動電流を小さくすることができるため、半導体レーザ素子２５自体の発熱を抑えることができる。半導体レーザ素子２５は印加された駆動電流の大きさに応じたレーザ光を発するが、光エネルギーに変換されなかったエネルギーは熱となり半導体レーザ素子２５を発熱させる。そして、半導体レーザ素子２５自身の温度が上昇すると、駆動電流−光出力の特性が変化し、単位光出力に対する駆動電流値が大きくなる。したがって、消費電力の点、及び、熱が原因で記録ヘッド２３及び再生ヘッド２２が形状変化してしまうおそれがある点から、半導体レーザ素子２５の温度上昇量ができるだけ小さくなるように、駆動電流値及び予備記録の間隔を決定することが好ましい。【００７１】
記録ヘッド２３が発生させる磁界の大きさは、一般的には飽和磁界に近い大きさとされる。本実施形態では、磁界の最大値は金属線２３ａに印加可能な最大電流値に依存する。この場合は、ジュール熱によって金属線２３ａが溶解する温度に達するような電流量が、金属線２３ａに印加可能な最大電流量となる。しかし、いずれの構成の記録ヘッドであっても記録ヘッドで発生させることができる磁界の大きさに限界がある。そのような条件下では、本実施形態のように抽出された最適な予備駆動条件を半導体レーザ素子２５の駆動条件に決定することで、従来技術のように一定の駆動条件で半導体レーザ素子２５を駆動する場合よりも、半導体レーザ素子２５自身の温度上昇を抑制することができ、半導体レーザ素子２５の劣化を抑制できるので、寿命をさらに伸ばすことができる。【００７２】
さらに本実施形態では、磁気記録媒体２を加熱する加熱手段の一部として発光素子である半導体レーザ素子２５を使用し、磁気記録媒体２に対して近接場光を照射することによって磁気記録媒体２を加熱するため、加熱−非加熱の変化の周波数特性を向上させることが可能となり、記録レートを向上させることが可能となる。例えば、電流を印加することにより発熱する金属材料からなるコイルを加熱手段として使用する場合には、一旦昇温したコイルが冷却される時間が必要であり、記録レートを向上させることが難しい。これに対し、本実施形態では半導体レーザ素子２５を加熱手段の一部としているため、より高速な記録が可能となる。さらに、本実施形態の構成の場合、金属線２３ａで発生した近接場光で磁気記録媒体２を直接加熱するため、より効率的に磁気記録媒体２を加熱することができる。【００７３】
半導体レーザ素子２５のような発光素子を用いて磁気記録媒体２を加熱する場合には、磁気記録媒体２の温度が、環境温度に加えて、発光素子からの出射光量、すなわち、加熱パワーによっても意図しないものとなってしまう。発光素子への投入電流と出射光量の関係は、素子の温度つまり環境温度に依存する。したがって、環境温度が高ければ、過熱によって磁気記録媒体を損傷させてしまうおそれがあり、これを避けるために光量モニタを有することが重要となる。しかし、本実施形態においては、磁気記録媒体２が過熱されるのを防止できるので、光量モニタを有している必要がない。【００７４】
また、本実施形態では、半導体レーザ素子２５から発せられた光が金属線２３ａに照射されることにより発生した近接場光によって磁気記録媒体２が加熱されるので、より微小な領域を加熱することが可能であり、記録密度を向上させることができる。【００７５】
磁気記録再生装置の分野において、温度上昇に伴って記録ヘッド及び／又は再生ヘッド周辺部分の形状が膨張により変化し、スライダの記録媒体に面した表面から記録ヘッド及び／又は再生ヘッドが突出してしまうという現象が問題となっている。このような現象はサーマルプロトルージョン（Thermal Protorusion of Pole）と呼ばれている。現在の磁気ヘッドの浮上量は約１０ｎｍであり、数ｎｍの突出量であっても記録又は再生に影響を与える。本実施形態では光源である半導体レーザ素子２５としてこれを磁気ヘッド１と一体化させたものを使用しており、さらに、半導体レーザ素子２５がスライダ２１の側方に配置され、半導体レーザ素子２５の下方に記録ヘッド２３が形成されている。したがって、スライダ２１全体の温度が上昇するのではなく、温度の一様でない分布が発生する、すなわち、光源である半導体レーザ素子２５の発光部分が温度上昇し、膨張するため、記録ヘッド２３のサーマルプロトルージョンにつながる。したがって、半導体レーザ素子２５の温度上昇を極力小さくすることが望ましい。上述したように、本実施形態の構成の場合、環境温度が高い場合には、逆に半導体レーザ素子２５からの光出力を小さくするように調整されるので、半導体レーザ素子２５の温度上昇をより小さくすることが可能である。【００７６】
＜第１実施形態の変形例１＞
次に、本発明の第１実施形態の変形例１に係る磁気記録再生装置１０１について、図７及び図８をさらに参照して説明する。なお、以下の説明において、第１実施形態の符号１〜１８と同様の部分については、それぞれ、符号３１〜４８をふり、その説明を省略することがある。【００７７】
本変形例に係る磁気記録再生装置１０１は、磁気記録媒体３２の中心からの距離がｒである位置（以下、「半径位置ｒ」と称する）に対する駆動条件を、下記式（Ａ）によって決定する駆動条件導出部４９を有している点で、第１実施形態と異なっている。
Ｐｒ＝Ｐｉ＋（ｒ−ｒｉ）×（Ｐｏ−Ｐｉ）／（ｒｏ−ｒｉ）      （Ａ）【００７８】
上記式（Ａ）において、ｒｉは、図８に示すように、磁気記録媒体３２における最内周付近に設けられた予備記録領域３２ａ内にある半径位置を示している。また、ｒｏは、磁気記録媒体３２における最外周付近に設けられた予備記録領域３２ｂ内にある半径位置を示している。Ｐｉは、駆動条件決定部４６が決定した駆動条件で駆動された半導体レーザ素子２５によって半径位置ｒｉに与えられる加熱パワーを示している。Ｐｏは、駆動条件決定部４５が決定した駆動条件で駆動された半導体レーザ素子２５によって半径位置ｒｏに与えられる加熱パワーを示している。Ｐｒは、磁気記録媒体３２の予備記録領域３２ａと予備記録領域３２ｂとに挟まれたユーザー用記録領域３２ｃ内の任意の半径位置ｒに情報を記録するのに最適な加熱パワーである。Ｐｉ及びＰｏは、実測値であってもよいし、駆動条件決定部４６が決定した駆動条件などからシミュレーションによって得られた値であってもよい。【００７９】
厳密に言えば、予備記録領域３２ａ、３２ｂ内には複数の記録トラックが存在しており、予備記録領域３２ａ、３２ｂには一定の幅がある。しかし、記録トラック間のピッチはせいぜい２５ｎｍ程度であるので、記録トラックを１００トラック使用したとしても、予備記録領域の幅は２．５μｍであり、線速度の差は無視できる。予備記録領域３２ａ、３２ｂ内のどの半径位置をもって予備記録領域３２ａ、３２ｂを代表する半径位置とするかは問題とならない。なぜなら、予備記録領域３２ａ、３２ｂの幅が数μｍであるのに対し、加熱パワーＰｒが算出されるべきユーザー用記録領域３２ｃの幅は通常数十ｍｍであって、両者の幅に大きな隔たりがあるからである。したがって、記録領域３２ａ、３２ｂ内の任意の半径位置を予備記録領域３２ａ、３２ｂの半径位置とすればよい。本変形例においては、各予備記録領域３２ａ、３２ｂの中間位置を半径位置としている。【００８０】
次に、本変形例に係る磁気記録再生装置１０１の動作について説明する。磁気記録再生装置１０１の動作は、以下の点においてのみ、第１実施形態と異なる。【００８１】
磁気記録媒体３２は、第１実施形態と同様、角速度一定で回転制御されているため、情報が記録される半径位置ｒに応じて線速度が異なる。具体的に説明すると、３．５インチサイズの磁気記録媒体３２を７６００ｒｐｍの回転数で回転する場合、最内周における線速度と、最外周における線速度はそれぞれ約１０ｍ／ｓと約３８ｍ／ｓとなり、最内周と最外周とで約４倍も線速度が異なる。一方で、情報を記録するには情報が記録される半径位置での磁気記録媒体３２の温度を所定温度まで上昇させなければならない。半径位置が異なれば線速度も異なるので、半径位置が異なる２つの位置を所定の温度まで上昇させるのに必要な加熱パワーは異なることになる。しかし、ユーザー用記録領域３２ｃ内にあるすべての半径位置に関して半導体レーザ素子２５の駆動条件を第１実施形態に従って決定することは実質的には困難である。そこで、本変形例では、まず、半径位置ｒｉを含む予備記録領域３２ａ内及び半径位置ｒｏを含む予備記録領域３２ｂ内における半導体レーザ素子２５の駆動条件を第１実施形態に即して決定する。しかる後、駆動条件導出部４９が、上記式（Ａ）を用いた演算処理を行って加熱パワーＰｒを求め、さらに、求められたＰｒに基づいて、ユーザー用記録領域３２ｃ内の任意の半径位置ｒにおける半導体レーザ素子２５の駆動条件を決定する。【００８２】
式（Ａ）は、半径位置ｒつまり線速度と加熱パワーとが概ね線形関係を有していることを利用したものである例えば、線速度が１０ｍ／ｓのときに半導体レーザの出力が５ｍＷであるとした場合に、線速度が２０ｍ／ｓのときには半導体レーザの出力が１０ｍＷ必要となることを意味している。【００８３】
本変形例は、第１実施形態と同様の効果を奏するとともに、以下の効果をも奏する。すなわち、本変形例は、ユーザー用記録領域３２ｃ内の任意の半径位置ｒに情報の記録を行う際の半導体レーザ素子２５の駆動条件を、２回の予備的記録を行う以外は演算によって、容易に且つ短時間で求めることができるという利点がある。【００８４】
なお、予備記録領域３２ａ及び予備記録領域３２ｂは、それぞれ磁気記録媒体３２の記録可能な領域の最内周付近と最外周付近とに設けられることが好ましいが、必ずしもその必要はなく、これら予備記録領域３２ａ、３２ｂは、磁気記録媒体３２の記録可能な領域内であればどこにあってもよい。例えば、内周側にある予備記録領域のさらに内周側にユーザーがデータを記録するためのユーザ用記録領域があってもよいし、外周側にある予備記録領域のさらに外周側にユーザ用記録領域があってもよい。このようにすれば、内周側にある予備記録領域における線速度と外周側にある予備記録領域における線速度との差を小さくできるので、半導体レーザ素子２５の駆動条件をより高い精度で決定できる。【００８５】
＜第１実施形態の変形例２＞
次に、本発明の第１実施形態の変形例２に係る磁気記録再生装置１０２について、図９及び図１０をさらに参照して説明する。なお、以下の説明において、第１実施形態の変形例１における符号３１〜４９と同様の部分については、それぞれ、符号５１〜６９をふり、その説明を省略することがある。【００８６】
本変形例に係る磁気記録再生装置１０２では、まず、半径位置ｒｉを含む予備記録領域５２ａ（磁気記録媒体５２の最内周付近に設けられている）内及び半径位置ｒｏを含む予備記録領域５２ｂ（磁気記録媒体５２の最外周付近に設けられている）内における半導体レーザ素子２５の駆動条件を第１実施形態に即して決定する。しかる後、駆動条件導出部６９が、下記式（Ｂ）を用いた演算処理を行って、予備記録領域５２ａと予備記録領域５２ｂの中間つまり媒体２の中心から両者の平均距離だけ離れた半径位置ｒｃ（＝（ｒｉ＋ｒｏ）／２）（図１０参照）における加熱パワーＰｒｃを求める。さらに、駆動条件導出部６９は、求められたＰｒｃに基づいて半径位置ｒｃにおける半導体レーザ素子２５の駆動条件を導出する。そして、駆動条件導出部６９は、導出された半導体レーザ素子２５の駆動条件を、ユーザ用記録領域５２ｃ内の任意の半径位置に情報を記録する際の半導体レーザ素子２５の駆動条件に決定する。
Ｐｒｃ＝Ｐｉ＋（ｒｃ−ｒｉ）×（Ｐｏ−Ｐｉ）／（ｒｏ−ｒｉ）      （Ｂ）【００８７】
本変形例は、第１実施形態及びその変形例１と同様の効果を奏するとともに、以下の効果をも奏する。すなわち、駆動条件のデータ量を最小限にとどめることが可能となるので、記憶部６８の容量を比較的小さくすることができる。その結果として、コストを低減できる。また、駆動条件導出部６９が一旦半導体レーザ素子２５の駆動条件を決定した後は、いかなる位置に情報を記録する場合であって、半導体レーザ素子２５の駆動条件を決定するための演算を改めて行う必要がないので、演算量が少なくて済む。【００８８】
＜第１実施形態の変形例３＞
次に、本発明の第１実施形態の変形例３に係る磁気記録再生装置について、図１１をさらに参照して説明する。なお、以下の説明において、第１実施形態及びその変形例１、２と同様の部分については、その説明を省略することがある。【００８９】
本変形例に係る磁気記録再生装置は、以下に述べる相違点以外は、第１実施形態の変形例２とほぼ同構成の構成を有している。その相違点とは、（１）図１１に示すように、半径位置ｒｉを含む予備記録領域７２ａ及び半径位置ｒｏを含む予備記録領域７２ｂのほかに、磁気記録媒体７２に、内部転送レートを同じくする半径方向に互いに範囲が重複しない３つのユーザ用記録領域であるゾーン７２ｃ、７２ｄ、７２ｅが設けられている点、及び、（２）変形例２の駆動条件導出部６９の代わりに、各ゾーンの径方向中間の半径位置ｒ１、ｒ２、ｒ３に対応した加熱パワーＰｒ１、Ｐｒ２、Ｐｒ３を下記式（Ｃ）を用いて求め、さらに求められた加熱パワーＰｒ１、Ｐｒ２、Ｐｒ３に基づいて半径位置ｒ１、ｒ２、ｒ３に情報を記録する際の半導体レーザ素子２５の駆動条件を導出し、この導出された駆動条件を各ゾーン内の任意の半径位置での半導体レーザ素子２５の駆動条件に決定する駆動条件導出部を含んでいる点である。図１１において、同心となった３つのリング状ゾーン７２ｃ、７２ｄ、７２ｅは、予備記録領域７２ａと予備記録領域７２ｂとの間に設けられている。図１１にはこれら３つのゾーンの境界が実線で描かれているが、実際には隣接するゾーンに境界は設けられていない。
Ｐｒ＝Ｐｉ＋（ｒｚ−ｒｉ）×（Ｐｏ−Ｐｉ）／（ｒｏ−ｒｉ）      （Ｃ）
（ｚ＝１，２，３）【００９０】
３つのリング状ゾーン７２ｃ、７２ｄ、７２ｅは、いずれもユーザーに使用されるユーザー用記録領域である。記録周波数は、いずれのゾーンに関しても同じである。ここで、各ゾーンに関する記録周波数は、線記録密度がどのゾーンであってもほぼ同じになる値となっている。したがって、内周にあるゾーンほど記録周波数が低くなる。【００９１】
本変形例の磁気記録再生装置によれば、第１実施形態及びその変形例１、２と同様の効果とともに、以下の効果をも奏する。すなわち、３つのゾーン７２ｃ、７２ｄ、７２ｅのそれぞれに半導体レーザ素子２５の駆動条件を決定するので、各ゾーンに適した加熱パワーで磁気記録媒体２を加熱することが可能となる。【００９２】
本変形例では、磁気記録媒体に３つのゾーンを設けたが、これに限られず、２つ又は４つ以上のゾーンを磁気記録媒体に設けるようにしてもよい。また、ゾーンの幅が互いに異なっていてもよい。【００９３】
＜第２実施形態＞
次に、本発明の第２実施形態に係る磁気記録再生装置２００について、図１２及び図１３を参照して説明するなお、第１実施形態の符号１〜１８と同様の部分については、それぞれ、符号８１〜９８をふり、その説明を省略することがある。【００９４】
本実施形態に係る磁気記録再生装置は、図１２に示すように、第１実施形態とほぼ同構成の装置である。しかしながら、以下の点において、第１実施形態のものとは相違している。その相違点とは、抽出部９５が、予備駆動条件が互いに異なる複数回の予備記録部９３による記録領域への情報の予備的な記録が行われるように、予備記録部９３を制御すると共に、複数回の予備的な記録に係る複数の予備駆動条件の中から、再生信号評価値が基準値と一致している又は基準値よりも優れているという判定部９４による判定結果が得られたものであって、且つ、複数の予備駆動条件に係る複数の再生信号評価値の中で最も優れた再生信号評価値に係る予備駆動条件を抽出する点である。抽出部９５は、取得した再生信号評価値が第１回目に取得した再生信号評価値であるかどうかの判定、及び、再生信号評価値などの記憶部９８への格納処理を行うことが可能である。【００９５】
詳細には、本実施形態に係る磁気記録再生装置は、以下のように動作する。すなわち、判定部９４は、第１回目の予備的な記録を考慮しない場合に、予備記録部９３が記録領域への情報の予備的な記録を行うごとに、当該予備的な記録に係る再生信号評価値と基準値との優劣を判定する。そして、抽出部９５は、再生信号評価値が基準値と一致している又は基準値よりも優れているという判定部９４による判定結果が得られるごとに、当該再生信号評価値と、その直前に、基準値と一致している又は基準値よりも優れているという判定部９４による判定結果が得られた再生信号評価値との優劣を判定する。このとき、抽出部９５は、予備記録部９３による予備記録領域への情報の複数回の予備的な記録が行われる際に、予備記録領域に与えられる加熱パワーが１回の予備的な記録ごとに次第に大きくなるように、予備記録部を制御する。そして、抽出部９５は、判定部９４が２つの再生信号評価値の優劣を判定した結果、新たな再生信号評価値が直前の再生信号評価値よりも劣ると判定された場合には、それまで行われた複数回の予備的な記録に係る複数の予備駆動条件の中から、直前の再生信号評価値に係る予備駆動条件を抽出する。【００９６】
次に、本実施形態に係る磁気記録再生装置の動作について、図１３を参照しながら説明する。まず、ステップＳ２１において、磁気記録媒体２が回転しており且つ記録ヘッド２３が予備記録領域に位置している状態で、抽出部９５の命令を受けた予備記録部９３によって、記録ヘッド２３の金属線２３ａに電流を流すと共に、レーザ光照射処理、つまり半導体レーザ素子２５に予備駆動条件に従った駆動電流を投入してレーザ光２６を発射させる処理を行う。ステップＳ２１で行われる処理は、第１実施形態のステップＳ１と同様である。【００９７】
次に、ステップＳ２２において、コントローラ９２からの命令で、再生ヘッド２２の位置決め処理が行われる。すなわち、ステップＳ２２においては、記録ヘッド２３の金属線２３ａへの印加電流と、半導体レーザ素子２５への駆動電流とをＯＦＦにし、ステップＳ２１で情報を予備記録した予備記録領域内の場所に再生ヘッド２２を位置決めする処理が行われる。ステップＳ２２で行われる処理は、第１実施形態のステップＳ２と同様である。【００９８】
続いて、ステップＳ２３において、抽出部９５の命令を受けた判定部９４によって、再生信号評価値の取得処理及び記憶処理が行われる。ステップＳ２３で行われる処理は、第１実施形態のステップＳ３と同様である。【００９９】
その後、ステップＳ２４において、抽出部９５が、ステップＳ２３での再生信号評価値の取得が第１回目のものであったかどうか判定する。ステップＳ２４での再生信号評価値の取得が第１回目のものであった場合（Ｓ２４：ＹＥＳ）、ステップＳ２７において、抽出部９５が当該第１回目の再生信号評価値に係る予備駆動条件を記憶部９８に格納する処理を行う。第１回目のものでない場合（Ｓ２４：ＮＯ）、ステップＳ２５に進む。【０１００】
ステップＳ２５では、抽出部９５の命令を受けた判定部９４によって、ステップＳ２３で得られた再生信号評価値が基準値以上になっているかどうかを判定する処理が行われる。この判定処理において、再生信号評価値が基準値以上でないと判定された場合（Ｓ２５：ＮＯ）、ステップＳ２８に進む。【０１０１】
再生信号評価値が基準値以上であると判定された場合には（Ｓ２５：ＹＥＳ）、ステップＳ２６において、抽出部９５が、ステップＳ２３で取得した再生信号評価値がそれより１ループ前のステップＳ２３、つまり直前で得られた再生信号評価値より優れているか否かを判定する。再生信号評価値が直前のものより優れていない場合には（Ｓ２６：ＮＯ）、処理を終了する。再生信号評価値が直前のものより優れている場合には（Ｓ２６：ＹＥＳ）、ステップＳ２７において、抽出部９５が今回のステップＳ２３で取得した当該優れている方の再生信号評価値に係る予備駆動条件を記憶部９８に格納する処理を行う。【０１０２】
ステップＳ２８では、ステップＳ２１における半導体レーザ素子２５の駆動電流の値が、磁気記録媒体２の過熱を防止するための値として予め決められていた最大駆動電流を超えているかどうか判定する処理が、予備記録終了部９７によって行われる。【０１０３】
ステップＳ２８において、ステップＳ２１での半導体レーザ素子２５の駆動電流が最大駆動電流を超えるものとなっていると判定された場合には（Ｓ２８：ＹＥＳ）、予備記録終了部９７が抽出部９５を制御することによって、予備記録部９３が新たな予備的な記録を行うことなく、処理が終了する。ステップＳ２１における半導体レーザ素子２５の駆動電流が最大駆動電流以下と判定された場合には（Ｓ２８：ＮＯ）、ステップＳ２９に進む。【０１０４】
ステップＳ２９では、次の予備記録時に半導体レーザ素子２５の駆動電流の値を所定値だけインクリメントするための命令が、予備記録部９３に与えられる。ステップＳ３０では、制御ブロック９７によって、直前に近接場光が照射された位置とは異なる位置上に記録ヘッド２３を移動させ、その後にステップＳ２１に戻る。このような処理を終了に至るまで繰り返し行う。【０１０５】
ここでは、「半導体レーザ素子２５の駆動電流の値を所定値だけインクリメントする」としたが、具体的には、半導体レーザ素子２５から出力される出射光の光量が０．１ｍＷ又は０．５ｍＷだけ大きくなるように駆動電流をインクリメントする。このように、出射光の光量を変化させることにより、結果として、加熱パワーを大きくすることになる。【０１０６】
上記構成の磁気記録再生装置２００によれば、環境温度が季節などにより変化しても、磁気記録媒体２の温度を意図した温度（例えば、磁気記録媒体２に記録するのに適した範囲内の温度）に調整するのに好適な半導体レーザ素子２５の駆動条件を素早く得ることができる。その結果として、環境温度にほとんど左右されることなく、熱アシスト磁気記録を容易に行うことができる磁気記録再生装置２００を提供できる。また、情報を記録する際に、磁気記録媒体８２の過熱を確実に防止することができる。【０１０７】
しかも、予備的な記録を行うごとに再生信号評価値と基準値との優劣を判定し、新たに取得した再生信号評価値が基準値と一致している又は基準値よりも優れているという判定結果が得られるごとに、当該再生信号評価値と、その直前に、基準値と一致している又は基準値よりも優れているという判定結果が得られた再生信号評価値との優劣を判定するようにしているので、複数の駆動条件に係る複数の再生信号評価値の中から最も優れた再生信号評価値に係る駆動条件を効率よく抽出することができる。【０１０８】
ビットエラーレートを再生信号評価値として採用した場合、ステップＳ２１で記録された信号のデータ量が少ないと、複数の駆動条件においてビットエラーレートが最小値となる可能性がある。その場合、ステップＳ２６において直前回の再生信号評価値と今回のものとが一致することになる。そこで、一変形例として、ステップＳ２６において、前回の再生信号評価値と今回のものとが一致している場合にも、ステップＳ２７へと進むようにしてもよい。【０１０９】
また、再生信号評価値が一致する複数の駆動条件が存在しており、これら複数の駆動条件における再生信号評価値が最高値である場合には、これらの駆動条件のうち、最も小さな加熱パワーに係る駆動条件と、最も大きな加熱パワーに係る駆動条件との中間の値の駆動条件を採用すればよい。【０１１０】
また、図１３の動作処理フローにおいて、再生信号評価値がより高品質なものから低品質なものに転じたときにさらなる予備記録を行わないようにすることにより、磁気記録媒体８２を過剰に熱する可能性を低めることができる。そのため、磁気記録媒体８２にあらかじめサーボ信号が記録されている場合に、このサーボ信号の消去を防止することができる。【０１１１】
また、本実施形態の磁気記録再生装置２００においては、第１実施形態の変形例１〜３と同様の変形例が可能である。【０１１２】
図１３に示すフローチャートにおいて、ステップＳ２４とステップＳ２５とを入れ替えてもよい。その場合、ステップＳ２３の後に行われるステップＳ２５と同等のステップでＹＥＳのときにはステップＳ２４と同等のステップに進む。ＮＯのときにはステップＳ２８に進む。ステップＳ２４と同等のステップでＹＥＳのときはステップＳ２７に進み、ＮＯのときはステップＳ２６に進む。【０１１３】
上記実施形態及び変形例には、請求の範囲を逸脱しない範囲で変更及び修正を施すことが可能であり、本発明は上記実施形態及び変形例に限定されるものではない。例えば、上記実施形態及び変形例において、第１実施形態のステップＳ２（磁気ヘッドの位置決め処理）を省略することができる場合について説明する。ステップＳ２では、ステップＳ１により信号を記録しつつ、情報の記録後に移動させた磁気ヘッド１の位置を、再度、信号を記録した位置に戻すという処理を行うが、例えば、磁気記録媒体２が回転する方向に沿って記録ヘッド２３と再生ヘッド２２とが配置された磁気ヘッド１を含んでいる場合、記録と再生とを連続して行うことが可能である。したがって、このような場合にはステップＳ２の手順を省略することができる。【０１１４】
また、上記実施形態及び変形例において、記録ヘッドの金属線２３ａに印加する記録電流は図５（ａ）及び図５（ｂ）に示したものに限定されない。例えば、図１４（ａ）のように、振幅値及び周波数は一定であるが、常に正（あるいは負）の電流が印加される矩形波信号を印加電流としてもよい。その場合、電流の極性は、未記録状態における記録磁化の方向と逆の方向の磁化が記録されるようなものであればよい。【０１１５】
また、図１４（ｂ）のように、一定振幅を有するものの記録周波数が変化する波形信号を印加電流として与えてもよい。再生信号評価値としてビットエラーレート又はＳＡＭ値を用いる場合には、いわゆる記録周波数が変化する信号（ランダム信号）を記録する必要がある。したがって、このような場合に、図１４（ｂ）に示すような印加電流を記録ヘッドに与えることになる。【０１１６】
また、上記実施形態及び変形例において、半導体レーザ２５で予備記録を行うには、駆動電流だけではなく、少なくとも、レーザ光が照射される半径位置に関する情報が必要である。これらの情報は、図１５に示す磁気記録媒体１１２における最外周付近に設けられた予備記録領域１１２ｂの内側であってユーザー用記録領域１１２ｄの外側にある、記録領域１１２ｃに磁気的に記録される。このように、磁気記録媒体１１２が角速度一定で回転制御される磁気記録再生装置において、レーザ光が照射される半径位置に関する情報をユーザー用記録領域１１２ｄよりも外側に記録することにより、当該データを読み込む時間を短縮することができる。磁気記録媒体１１２における最内周付近に設けられた予備記録領域１１２ａは、第１実施形態の変形例１における予備記録領域３２ａに相当する領域である。【０１１７】
上記各実施形態及び変形例における磁気記録再生装置に温度センサを搭載している場合には、駆動条件が決定された時の温度情報と当該駆動条件とをともに記録領域１１２ｃに記録しておけば、まず記録領域１１２ｃに記録された温度情報と現在温度とを比較して両者が同じであれば、駆動条件決定工程を省略して、当該温度情報と共に記録された駆動条件を採用すればよい。別の変形例として、駆動条件の決定の際、半導体レーザの駆動電流の初期値を、まず記録領域１１２ｃに記録された温度に対応した初期値とすることにより、第１実施形態におけるステップＳ７を繰り返す回数を少なくすることができる。したがって、駆動電流が決定されるまでの時間を短縮することができる。【０１１８】
上記実施形態及び変形例においては、近接場光を利用して磁気記録媒体を加熱したが、レーザ光によって直接磁気記録媒体を加熱してもよい。【０１１９】
上記実施形態及び変形例においては、記録ヘッドと光源とを一体化したものについて説明したが、これに限定されるものではない。例えば、光源が磁気ヘッドと分離されており、光源から出射された光を光ファイバー、光導波路又はレンズなどの光学素子を介して、記録ヘッドに照射するようにしてもよい。さらに別の変形例として、光源から出射された光を直接、磁気記録媒体に照射することにより、磁気記録媒体を加熱してもよい。また、光源と磁気記録媒体との間に屈折率分布型レンズや回折型レンズのようなレンズを配置し、光を磁気記録媒体に集光するようにしてもよい。【０１２０】
上記実施形態及び変形例で説明した磁気記録再生装置では、長時間にわたって画像データを連続的に記録媒体に記録する場合がある。そのような場合には記録を行っている間に、環境温度が変化する可能性がある。そのような場合には、データ記録の中で一定時間ごと、一定トラック記録間隔ごと、又は、磁気記録再生装置に温度センサが設けられているのであれば温度が所定幅変化するごとに、駆動条件を改めて決定しなおせばよい。その際、上述したように予め磁気記録媒体に設けてある予備記録領域まで磁気ヘッドを移動し、駆動条件を決定するようにしてもよいが、その移動している間には記録されるべきデータをバッファメモリに記憶しておく必要があるため、大きなバッファメモリが必要となってしまう。そこで、ユーザー用記録領域内又はその近傍に予備記録領域を設けておいてもよい。予備記録領域としては、特性のセクタを割り当てておいてもよい。そのように特定のセクタを、予備記録用のセクタとして確保しておくことにより、予備記録時に記録したデータを駆動条件決定後に消去するためのアドレスの管理が容易になる。また上記のような場合には、短時間で駆動条件を決定する必要があるので、多くの記録データが通常必要であるビットエラーレートではなく、再生信号の振幅値を再生信号評価値として用いることが好ましい。【０１２１】
上記実施形態及び変形例の別の一変形例として、１枚の磁気記録媒体の両面に磁気記録が可能であるとき又は複数の磁気記録媒体を含んでいるときのように複数の磁気ヘッドを有するのであれば、加熱手段の過熱を防止する観点から、駆動条件の決定のための動作フローを行う磁気ヘッドを順番に切り替えるようにしてもよい。具体的には、第１実施形態を例にすると、図４の動作フローにおいて、１回目の駆動条件の決定の動作処理は第１磁気ヘッドを用いて行い、そして、磁気記録媒体及び磁気ヘッドを異なるものに切り替えて２回目の駆動条件の決定の動作処理を行うようにする。このようにすれば、各磁気ヘッドにおける駆動条件決定の動作処理に要する時間を短縮できることから、加熱手段の過熱を抑制することができる。【０１２２】
上記実施形態及び変形例のさらにに別の一変形例として、１枚の磁気記録媒体の両面に磁気記録が可能であるとき又は複数の磁気記録媒体を含んでいるときのように複数の磁気ヘッドを有するのであれば、一方の磁気ヘッドでユーザーデータの記録を行うと同時に、他方の磁気ヘッドで駆動条件決定の動作処理を行ってもよい。そのようにすることで、ユーザーデータの記録の際に、駆動条件決定動作を並行して行うことができるので、バッファメモリの容量を少なくすることが可能となる。なお、通常の場合には複数の磁気ヘッドが同じボイスコイルモータによって駆動されるので、複数の磁気ヘッドはおおむね同じ半径位置に位置決めされることになる。したがって、本方式をとる場合には、一つの磁気記録媒体におけるユーザー用記録領域と別の磁気記録媒体における予備記録領域とが重複した半径位置の範囲に設けられることが望ましい。
【図１】
2008062671.tif 000003
【図２】
2008062671.tif 000004
【図３】
2008062671.tif 000005
【図４】
2008062671.tif 000006
【図５（ａ）】
2008062671.tif 000007
【図５（ｂ）】
2008062671.tif 000008
【図６】
2008062671.tif 000009
【図７】
2008062671.tif 000010
【図８】
2008062671.tif 000011
【図９】
2008062671.tif 000012
【図１０】
2008062671.tif 000013
【図１１】
2008062671.tif 000014
【図１２】
2008062671.tif 000015
【図１３】
2008062671.tif 000016
【図１４（ａ）】
2008062671.tif 000017
【図１４（ｂ）】
2008062671.tif 000018
【図１５】
2008062671.tif 000019
【図１６】
2008062671.tif 000020
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
記録ヘッドと、磁気抵抗効果を示す再生ヘッドと、情報を記録可能な磁気記録媒体と、前記磁気記録媒体の記録領域を加熱するための加熱手段とを備え、前記記録ヘッドに電流を印加して磁界を発生させると共に前記磁気記録媒体の前記記録領域を前記加熱手段を用いて加熱することによって、加熱により保磁力が低下した前記磁気記録媒体に情報を記録し、前記磁気記録媒体の前記記録領域に記録された情報を前記再生ヘッドによって再生する、磁気記録再生装置において、
定電流又は一定振幅を有する波形電流が前記記録ヘッドに印加されるようにすると共に、前記加熱手段から前記磁気記録媒体の前記記録領域に加熱パワーが与えられるようにするために前記加熱手段を予備駆動条件に従って駆動することによって、前記磁気記録媒体の前記記録領域に情報を予備的に記録する予備記録手段と、
前記予備記録手段によって前記記録領域に予備的に記録された情報を前記再生ヘッドによって再生して得られる再生信号から再生信号評価値を得て、この再生信号評価値と予め定めておいた基準値との優劣を判定する判定手段と、
前記再生信号評価値が前記基準値と一致している又は前記基準値よりも優れているという前記判定手段による判定結果が得られるまで、一回又は前記予備駆動条件が互いに異なる複数回の前記予備記録手段による前記記録領域への情報の予備的な記録が行われるように、前記予備記録手段及び前記判定手段を制御すると共に、前記再生信号評価値が前記基準値と一致している又は前記基準値よりも優れているという前記判定手段による前記判定結果に係る前記加熱手段の前記予備駆動条件を抽出する抽出手段と、
前記抽出手段が抽出した前記予備駆動条件を、前記磁気記録媒体へ情報を記録する際の前記加熱手段の駆動条件に決定する駆動条件決定手段とを備え、
前記抽出手段は、前記予備記録手段による前記記録領域への情報の複数回の予備的な記録が行われる際に、前記記録領域に与えられる加熱パワーが１回の予備的な記録ごとに次第に大きくなるように、前記予備記録手段を制御することを特徴とする磁気記録再生装置。
【請求項２】
記録ヘッドと、磁気抵抗効果を示す再生ヘッドと、情報を記録可能な磁気記録媒体と、前記磁気記録媒体の記録領域を加熱するための加熱手段とを備え、前記記録ヘッドに電流を印加して磁界を発生させると共に前記磁気記録媒体の前記記録領域を前記加熱手段を用いて加熱することによって、加熱により保磁力が低下した前記磁気記録媒体に情報を記録し、前記磁気記録媒体の前記記録領域に記録された情報を前記再生ヘッドによって再生する、磁気記録再生装置において、
定電流又は一定振幅を有する波形電流が前記記録ヘッドに印加されるようにすると共に、前記加熱手段から前記磁気記録媒体の前記記録領域に加熱パワーが与えられるようにするために前記加熱手段を予備駆動条件に従って駆動することによって、前記磁気記録媒体の前記記録領域に情報を予備的に記録する予備記録手段と、
前記予備記録手段によって前記記録領域に予備的に記録された情報を前記再生ヘッドによって再生して得られる再生信号から再生信号評価値を得て、この再生信号評価値と予め定めておいた基準値との優劣を判定する判定手段と、
前記予備駆動条件が互いに異なる複数回の前記予備記録手段による前記記録領域への情報の予備的な記録が行われるように、前記予備記録手段を制御すると共に、前記複数回の予備的な記録に係る複数の前記予備駆動条件の中から、前記再生信号評価値が前記基準値と一致している又は前記基準値よりも優れているという前記判定手段による前記判定結果が得られたものであって、且つ、前記複数の前記予備駆動条件に係る複数の前記再生信号評価値の中で最も優れた前記再生信号評価値に係る前記予備駆動条件を抽出する抽出手段と、
前記抽出手段が抽出した前記予備駆動条件を、前記磁気記録媒体へ情報を記録する際の前記加熱手段の駆動条件に決定する駆動条件決定手段とを備え、
前記判定手段は、第１回目の予備的な記録を考慮しない場合に、前記予備記録手段が前記記録領域への情報の予備的な記録を行うごとに、当該予備的な記録に係る前記再生信号評価値と前記基準値との優劣を判定し、
前記抽出手段は、
前記再生信号評価値が前記基準値と一致している又は前記基準値よりも優れているという判定結果が得られるごとに、当該再生信号評価値と、その直前に、前記基準値と一致している又は前記基準値よりも優れているという前記判定手段による判定結果が得られた再生信号評価値との優劣を判定し、
前記予備記録手段による前記記録領域への情報の複数回の予備的な記録が行われる際に、前記記録領域に与えられる加熱パワーが１回の予備的な記録ごとに次第に大きくなるように、前記予備記録手段を制御し、
前記判定手段が２つの前記再生信号評価値の優劣を判定した結果、新たな再生信号評価値が直前の再生信号評価値よりも劣ると判定された場合には、それまで行われた複数回の予備的な記録に係る複数の前記予備駆動条件の中から、前記直前の再生信号評価値に係る前記予備駆動条件を抽出することを特徴とする磁気記録再生装置。
【請求項３】
前記記録領域に与えられる加熱パワーが所定上限値に達した後には前記予備記録手段が新たな予備的な記録を行わないように、前記抽出手段を制御する予備記録終了手段をさらに備えていることを特徴とする請求項１又は２に記載の磁気記録再生装置。
【請求項４】
前記加熱手段が発光素子を含んでおり、
前記発光素子から発せられた光を利用して前記磁気記録媒体を加熱することを特徴とする請求項１〜３のいずれか１項に記載の磁気記録再生装置。
【請求項５】
前記記録ヘッドが、前記定電流又は前記一定振幅を有する前記波形電流が印加されることによって記録磁界を発生する金属線を有しており、
前記発光素子から発せられた光が前記金属線に照射されることにより発生した近接場光によって、前記磁気記録媒体が加熱されることを特徴とする請求項４に記載の磁気記録再生装置。
【請求項６】
前記磁気記録媒体が円盤形状を有しており、
前記予備記録手段は、前記磁気記録媒体の中心から距離ｒｉだけ離れた位置を含む、前記磁気記録媒体の前記記録領域に設けられた第１予備記録領域、及び、前記磁気記録媒体の前記中心から距離ｒｏ（ｒｏ＞ｒｉ）だけ離れた位置を含む、前記磁気記録媒体の前記記録領域に設けられて前記第１予備記録領域よりも外周側にある第２予備記録領域に、前記磁気記録媒体を所定の角速度で回転させつつ、情報を予備的に記録し、
前記駆動条件決定手段は、前記磁気記録媒体の前記中心から前記距離ｒｉだけ離れた前記第１予備記録領域内の位置、及び、前記磁気記録媒体の前記中心から前記距離ｒｏだけ離れた前記第２予備記録領域内の位置における前記加熱手段の駆動条件を決定し、
前記所定の角速度で回転する前記磁気記録媒体の前記中心から任意の距離ｒだけ離れた位置に対して情報を記録する際の前記加熱手段の前記駆動条件を、下記式（Ａ）から得られる加熱パワーＰｒに基づいて導出する駆動条件導出手段とをさらに備えていることを特徴とする請求項１〜５のいずれか１項に記載の磁気記録再生装置。
Ｐｒ＝Ｐｉ＋（ｒ−ｒｉ）×（Ｐｏ−Ｐｉ）／（ｒｏ−ｒｉ）      （Ａ）
（Ｐｉ：前記駆動条件決定手段が決定した距離ｒｉにおける前記駆動条件にしたがって駆動された前記加熱手段から前記磁気記録媒体の前記第１予備記録領域に与えられる加熱パワー、
Ｐｏ：前記駆動条件決定手段が決定した距離ｒｏにおける前記駆動条件にしたがって駆動された前記加熱手段から前記磁気記録媒体の前記第２予備記録領域に与えられる加熱パワー、
Ｐｒ：前記磁気記録媒体の前記中心から任意の距離ｒだけ離れた位置に対して情報を記録するための加熱パワー）
【請求項７】
前記磁気記録媒体が円盤形状を有しており、
前記予備記録手段は、前記磁気記録媒体の中心から距離ｒｉだけ離れた位置を含む、前記磁気記録媒体の前記記録領域に設けられた第１予備記録領域、及び、前記磁気記録媒体の前記中心から距離ｒｏ（ｒｏ＞ｒｉ）だけ離れた位置を含む、前記磁気記録媒体の前記記録領域に設けられて前記第１予備記録領域よりも外周側にある第２予備記録領域に、前記磁気記録媒体を所定の角速度で回転させつつ、情報を予備的に記録し、
前記駆動条件決定手段は、前記磁気記録媒体の前記中心から前記距離ｒｉだけ離れた前記第１予備記録領域内の位置、及び、前記磁気記録媒体の前記中心から前記距離ｒｏだけ離れた前記第２予備記録領域内の位置における前記加熱手段の駆動条件を決定し、
前記所定の角速度で回転する前記磁気記録媒体の前記中心から前記距離ｒｏと前記距離ｒｉとの平均距離ｒｃだけ離れた位置に対して情報を記録する際の前記加熱手段の前記駆動条件を、下記式（Ｂ）から得られる加熱パワーＰｒｃに基づいて導出し、当該導出された前記駆動条件を、前記第１予備記録領域と前記第２予備記録領域とに挟まれた記録領域に情報を記録する際の前記加熱手段の前記駆動条件に決定する駆動条件導出手段とをさらに備えていることを特徴とする請求項１〜５のいずれか１項に記載の磁気記録再生装置。
Ｐｒｃ＝Ｐｉ＋（ｒｃ−ｒｉ）×（Ｐｏ−Ｐｉ）／（ｒｏ−ｒｉ）      （Ｂ）
（Ｐｉ：前記駆動条件決定手段が決定した距離ｒｉにおける前記駆動条件にしたがって駆動された前記加熱手段から前記磁気記録媒体の前記第１予備記録領域に与えられる加熱パワー、
Ｐｏ：前記駆動条件決定手段が決定した距離ｒｏにおける前記駆動条件にしたがって駆動された前記加熱手段から前記磁気記録媒体の前記第２予備記録領域に与えられる加熱パワー、
Ｐｒｃ：前記磁気記録媒体の前記中心から距離ｒｃだけ離れた位置に対して情報を記録するための加熱パワー）
【請求項８】
前記磁気記録媒体が円盤形状を有しており、
前記磁気記録媒体の前記記録領域には、前記磁気記録媒体の前記中心から距離の範囲が重複しない複数のゾーンが設けられており、各ゾーン内では内部転送レートが一定であり、
前記予備記録手段は、前記磁気記録媒体の中心から距離ｒｉだけ離れた位置を含む、前記磁気記録媒体の前記記録領域に設けられた第１予備記録領域、及び、前記磁気記録媒体の前記中心から距離ｒｏ（ｒｏ＞ｒｉ）だけ離れた位置を含む、前記磁気記録媒体の前記記録領域に設けられて前記第１予備記録領域よりも外周側にある第２予備記録領域に、前記磁気記録媒体を所定の角速度で回転させつつ、情報を予備的に記録し、
前記駆動条件決定手段は、前記磁気記録媒体の前記中心から前記距離ｒｉだけ離れた前記第１予備記録領域内の位置、及び、前記磁気記録媒体の前記中心から前記距離ｒｏだけ離れた前記第２予備記録領域内の位置における前記加熱手段の駆動条件を決定し、
前記所定の角速度で回転する前記磁気記録媒体の各ゾーンにおいて前記中心から最も離れた位置と前記中心に最も近い位置との中間位置に対して情報を記録する際の前記加熱手段の前記駆動条件を、下記式（Ｃ）から得られる加熱パワーＰｒに基づいて導出し、当該導出された前記駆動条件を、当該ゾーンに情報を記録する際の前記加熱手段の前記駆動条件に決定する駆動条件導出手段とをさらに備えていることを特徴とする請求項１〜５のいずれか１項に記載の磁気記録再生装置。
Ｐｒ＝Ｐｉ＋（ｒｚ−ｒｉ）×（Ｐｏ−Ｐｉ）／（ｒｏ−ｒｉ）      （Ｃ）
（Ｐｉ：前記駆動条件決定手段が決定した距離ｒｉにおける前記駆動条件にしたがって駆動された前記加熱手段から前記磁気記録媒体の前記第１予備記録領域に与えられる加熱パワー、
Ｐｏ：前記駆動条件決定手段が決定した距離ｒｏにおける前記駆動条件にしたがって駆動された前記加熱手段から前記磁気記録媒体の前記第２予備記録領域に与えられる加熱パワー、
Ｐｒ：前記磁気記録媒体の各ゾーンの前記中間位置（前記磁気記録媒体の中心から距離ｒｚ）に対して情報を記録するための加熱パワー）
【請求項９】
前記駆動条件決定手段及び前記駆動条件導出手段が決定した前記駆動条件に関する情報が、利用者が記録したい情報が記録される前記磁気記録媒体における利用者用記録領域より外周領域に記録されることを特徴とする請求項６〜８のいずれか１項に記載の磁気記録再生装置。
【手続補正２】
【補正対象書類名】明細書
【補正対象項目名】０００８
【補正方法】変更
【補正の内容】
【０００８】
本発明の磁気記録再生装置は、記録ヘッドと、磁気抵抗効果を示す再生ヘッドと、情報を記録可能な磁気記録媒体と、前記磁気記録媒体の記録領域を加熱するための加熱手段とを備え、前記記録ヘッドに電流を印加して磁界を発生させると共に前記磁気記録媒体の前記記録領域を前記加熱手段を用いて加熱することによって、加熱により保磁力が低下した前記磁気記録媒体に情報を記録し、前記磁気記録媒体の前記記録領域に記録された情報を前記再生ヘッドによって再生する、磁気記録再生装置である。この磁気記録再生装置は、定電流又は一定振幅を有する波形電流が前記記録ヘッドに印加されるようにすると共に、前記加熱手段から前記磁気記録媒体の前記記録領域に加熱パワーが与えられるようにするために前記加熱手段を予備駆動条件に従って駆動することによって、前記磁気記録媒体の前記記録領域に情報を予備的に記録する予備記録手段と、前記予備記録手段によって前記記録領域に予備的に記録された情報を前記再生ヘッドによって再生して得られる再生信号から再生信号評価値を得て、この再生信号評価値と予め定めておいた基準値との優劣を判定する判定手段と、前記再生信号評価値が前記基準値と一致している又は前記基準値よりも優れているという前記判定手段による判定結果が得られるまで、一回又は前記予備駆動条件が互いに異なる複数回の前記予備記録手段による前記記録領域への情報の予備的な記録が行われるように、前記予備記録手段及び前記判定手段を制御すると共に、前記再生信号評価値が前記基準値と一致している又は前記基準値よりも優れているという前記判定手段による前記判定結果に係る前記加熱手段の前記予備駆動条件を抽出する抽出手段と、前記抽出手段が抽出した前記予備駆動条件を、前記磁気記録媒体へ情報を記録する際の前記加熱手段の駆動条件に決定する駆動条件決定手段とを備えている。そして、前記抽出手段は、前記予備記録手段による前記記録領域への情報の複数回の予備的な記録が行われる際に、前記記録領域に与えられる加熱パワーが１回の予備的な記録ごとに次第に大きくなるように、前記予備記録手段を制御する。
【手続補正３】
【補正対象書類名】明細書
【補正対象項目名】０００９
【補正方法】変更
【補正の内容】
【０００９】
本発明によれば、環境温度が季節などにより変化しても、磁気記録媒体の温度を意図した温度（例えば、磁気記録媒体に記録するのに適した範囲内の温度）に調整するような好適な加熱手段の駆動条件を素早く得ることができる。その結果として、環境温度にほとんど左右されることなく、熱アシスト磁気記録を行うことができる磁気記録再生装置を提供できる。また、情報を記録する際に、磁気記録媒体の過熱を防止することができるので、磁気記録媒体を損傷させてしまうことがない。また、小さな加熱パワーから順に大きな加熱パワーへと変化させているため、最も小さな加熱パワーに係る駆動条件を選択することができる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
別の観点において、本発明の磁気記録再生装置は、記録ヘッドと、磁気抵抗効果を示す再生ヘッドと、情報を記録可能な磁気記録媒体と、前記磁気記録媒体の記録領域を加熱するための加熱手段とを備え、前記記録ヘッドに電流を印加して磁界を発生させると共に前記磁気記録媒体の前記記録領域を前記加熱手段を用いて加熱することによって、加熱により保磁力が低下した前記磁気記録媒体に情報を記録し、前記磁気記録媒体の前記記録領域に記録された情報を前記再生ヘッドによって再生する、磁気記録再生装置である。そして、この磁気記録再生装置は、定電流又は一定振幅を有する波形電流が前記記録ヘッドに印加されるようにすると共に、前記加熱手段から前記磁気記録媒体の前記記録領域に加熱パワーが与えられるようにするために前記加熱手段を予備駆動条件に従って駆動することによって、前記磁気記録媒体の前記記録領域に情報を予備的に記録する予備記録手段と、前記予備記録手段によって前記記録領域に予備的に記録された情報を前記再生ヘッドによって再生して得られる再生信号から再生信号評価値を得て、この再生信号評価値と予め定めておいた基準値との優劣を判定する判定手段と、前記予備駆動条件が互いに異なる複数回の前記予備記録手段による前記記録領域への情報の予備的な記録が行われるように、前記予備記録手段を制御すると共に、前記複数回の予備的な記録に係る複数の前記予備駆動条件の中から、前記再生信号評価値が前記基準値と一致している又は前記基準値よりも優れているという前記判定手段による前記判定結果が得られたものであって、且つ、前記複数の前記予備駆動条件に係る複数の前記再生信号評価値の中で最も優れた前記再生信号評価値に係る前記予備駆動条件を抽出する抽出手段と、前記抽出手段が抽出した前記予備駆動条件を、前記磁気記録媒体へ情報を記録する際の前記加熱手段の駆動条件に決定する駆動条件決定手段とを備えている。そして、前記判定手段は、第１回目の予備的な記録を考慮しない場合に、前記予備記録手段が前記記録領域への情報の予備的な記録を行うごとに、当該予備的な記録に係る前記再生信号評価値と前記基準値との優劣を判定する。前記抽出手段は、前記再生信号評価値が前記基準値と一致している又は前記基準値よりも優れているという判定結果が得られるごとに、当該再生信号評価値と、その直前に、前記基準値と一致している又は前記基準値よりも優れているという前記判定手段による判定結果が得られた再生信号評価値との優劣を判定し、前記予備記録手段による前記記録領域への情報の複数回の予備的な記録が行われる際に、前記記録領域に与えられる加熱パワーが１回の予備的な記録ごとに次第に大きくなるように、前記予備記録手段を制御する。前記判定手段が２つの前記再生信号評価値の優劣を判定した結果、新たな再生信号評価値が直前の再生信号評価値よりも劣ると判定された場合には、それまで行われた複数回の予備的な記録に係る複数の前記予備駆動条件の中から、前記直前の再生信号評価値に係る前記予備駆動条件を抽出する。
【手続補正６】
【補正対象書類名】明細書
【補正対象項目名】００１３
【補正方法】変更
【補正の内容】
【００１３】
これによれば、環境温度が季節などにより変化しても、磁気記録媒体の温度を意図した温度（例えば、磁気記録媒体に記録するのに適した範囲内の温度）に調整するような好適な加熱手段の駆動条件を素早く得ることができる。その結果として、環境温度にほとんど左右されることなく、熱アシスト磁気記録を行うことができる磁気記録再生装置を提供できる。また、情報を記録する際に、磁気記録媒体の過熱を防止することができる。加えて、最も優れた再生信号評価値に係る駆動条件を効率よく抽出することができる。しかも、できるだけ小さな加熱パワーに係る駆動条件を選択することができる。そして、新たな再生信号評価値が直前の再生信号評価値よりも劣ると判定された場合にさらなる予備記録を行わないようにすることによって、磁気記録媒体を過剰に熱する可能性を低めることができる。「第１回目の予備的な記録を考慮しない」とは、予備記録手段が第１回目の予備的な記録を行った直後に当該予備的な記録に係る再生信号評価値と基準値との優劣を判定してもいいし、しなくてもいいことを意味するものとする。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】削除
【補正の内容】
【国際調査報告】
2008062671.tif 000021
2008062671.tif 000022
2008062671.tif 000023
2008062671.tif 000024